(57)【特許請求の範囲】
【請求項１】
複数のレンズ群の間隔を適宜変化させることによって変倍を行い、物体側から順に、正のパワーを持ち光路を変更する反射部材を備えている第１レンズ群と、負のパワーを持つ第２レンズ群と、正のパワーを持ち明るさ絞りと一体の第３レンズ群と、正のパワーを持つ第４レンズ群と、第５レンズ群とからなるズームレンズにおいて、
前記第５レンズ群は、物体側から順に、第１接合レンズと、第２接合レンズとにより構成されており、
前記第１接合レンズの最も像側のレンズと前記第２接合レンズの最も物体側のレンズとが共に正のパワーを持つ又は共に負のパワーを持ち、
以下の条件式を満足することを特徴とするズームレンズ。
０．９２  ＜  Ｄ5／ｆw  ＜  ２．０                  ・・・（１）
但し、Ｄ5は前記第１接合レンズと前記第２接合レンズとの間の光軸上の距離、ｆwは広角端におけるズームレンズの焦点距離である。
【請求項２】
複数のレンズ群の間隔を適宜変化させることによって変倍を行い、物体側から順に、正のパワーを持ち光路を変更する反射部材を備えている第１レンズ群と、負のパワーを持つ第２レンズ群と、正のパワーを持ち明るさ絞りと一体の第３レンズ群と、正のパワーを持つ第４レンズ群と、第５レンズ群とからなるズームレンズにおいて、
前記第５レンズ群は、物体側から順に、第１接合レンズと、第２接合レンズとにより構成されており、
前記第１接合レンズの最も像側のレンズと前記第２接合レンズの最も物体側のレンズとが共に正のパワーを持つ又は共に負のパワーを持ち、
以下の条件式を満足することを特徴とするズームレンズ。
０．０１  ＜  ｜ｆl51／ｆl52｜  ＜  ０．９５      ・・・（２）
但し、ｆl51は前記第１接合レンズの負レンズの焦点距離、ｆl52は前記第２接合レンズの正レンズの焦点距離である。
【請求項３】
複数のレンズ群の間隔を適宜変化させることによって変倍を行い、物体側から順に、正のパワーを持ち光路を変更する反射部材を備えている第１レンズ群と、負のパワーを持つ第２レンズ群と、正のパワーを持ち明るさ絞りと一体の第３レンズ群と、正のパワーを持つ第４レンズ群と、第５レンズ群とからなるズームレンズにおいて、
前記第５レンズ群は、物体側から順に、第１接合レンズと、第２接合レンズとにより構成されており、
前記第１接合レンズの最も像側のレンズと前記第２接合レンズの最も物体側のレンズとが共に正のパワーを持つ又は共に負のパワーを持ち、
以下の条件式を満足することを特徴とするズームレンズ。
５  ＜  ｜ｆG5／ｆw｜  ＜  ８０                    ・・・（３）
但し、ｆG5は前記第５レンズ群の焦点距離、ｆｗは広角端におけるズームレンズの焦点距離である。
【請求項４】
前記第１接合レンズが、物体側から順に、負レンズと正レンズとからなり、
前記第２接合レンズが、物体側から順に、正レンズと負レンズとからなることを特徴とする請求項１乃至３のいずれか１項に記載のズームレンズ。
【請求項５】
前記第１接合レンズが、物体側から順に、正レンズと負レンズとからなり、
前記第２接合レンズが、物体側から順に、負レンズと正レンズとからなることを特徴とする請求項１乃至３のいずれか１項に記載のズームレンズ。
【請求項６】
以下の条件式を満足することを特徴とする請求項１乃至５のいずれか１項に記載のズームレンズ。
３０  ＜  νd52  −  νd51  ＜  ７０ ・・・（４）
但し、νd51は前記第１接合レンズの最も物体側のレンズのアッベ数、νd52は前記第２接合レンズの最も像側のレンズのアッベ数である。
【請求項７】
前記第５レンズ群が、負のパワーを持つことを特徴とする請求項１乃至６のいずれか１項に記載のズームレンズ。
【請求項８】
前記第５レンズ群が、正のパワーを持つことを特徴とする請求項１乃至６のいずれか１項に記載のズームレンズ。
【請求項９】
以下の条件式を満足することを特徴とする請求項１乃至８のいずれか１項に記載のズームレンズ。
３．０  ＜  ｆt／ｆw  ＜  １０．０ ・・・（５）
但し、ｆwは広角端におけるズームレンズの焦点距離、ｆtは望遠端におけるズームレンズの焦点距離である。
【請求項１０】
前記反射部材が、プリズムであり、
以下の条件式を満足することを特徴とする請求項１乃至９のいずれか１項に記載のズームレンズ。
１  ＜  Ｄp／ｉｈw  ＜  ５ ・・・（６）
ただし、Ｄpは光軸上における前記プリズムの長さ、ｉｈwは広角端における像高である。
【請求項１１】
以下の条件式のいずれか一方又は両方を同時に満足することを特徴とする請求項１乃至１０のいずれか１項に記載のズームレンズ。
１  ＜  ｅｎｐ（ｗ）／ｉｈw  ＜  ５  ・・・（７）
０．５  ＜  ｆw／ｉｈw  ＜  ５ ・・・（８）
但し、ｅｎｐ（ｗ）は広角端におけるズームレンズの入射瞳位置とズームレンズの最も物体側のレンズとの間の距離、ｉｈwは広角端における像高、ｆwは広角端におけるズームレンズの焦点距離である。
【請求項１２】
前記第1レンズ群が、物体側から順に、負のパワーを持つ第１レンズと、前記反射部材と、正のパワーを持つ第２レンズと、正のパワーを持つ第３レンズとにより構成されていることを特徴とする請求項１乃至１１のいずれか１項に記載のズームレンズ。
【請求項１３】
以下の条件式を満足することを特徴とする請求項１２に記載のズームレンズ。
１．９５  ＜  ｎd1  ＜  ２．１ ・・・（９）
１８  ＜  νd1  ＜  ３０ ・・・（１０）
但し、ｎd1は前記第１レンズ群の負のパワーを持つ第１レンズの屈折率、νd1は前記第１レンズ群の負のパワーを持つ第１レンズのアッベ数である。
【請求項１４】
前記第２レンズ群が、物体側から順に、負のパワーを持つ第１レンズと、負のパワーを持つ第２レンズと、接合レンズとにより構成されることを特徴とする請求項１乃至１３のいずれか１項に記載のズームレンズ。
【請求項１５】
前記第３レンズ群を構成するエレメントの少なくとも一つが、少なくとも一つの非球面を有することを特徴とする請求項１乃至１４のいずれか１項に記載のズームレンズ。
但し、エレメントとは単一レンズ又は空気間隔の無い接合レンズである。
【請求項１６】
前記第４レンズ群が、接合レンズのみにより構成されることを特徴とする請求項１乃至１５のいずれか１項に記載のズームレンズ。
【請求項１７】
前記第４レンズ群を構成するエレメントの少なくとも一つが、少なくとも一つの非球面を有することを特徴とする請求項１乃至１５のいずれか１項に記載のズームレンズ。
但し、エレメントとは単一レンズ又は空気間隔の無い接合レンズである。
【請求項１８】
前記第３レンズ群及び第４レンズ群が、いずれも一つのエレメントにより構成されることを特徴とする請求項１乃至１７のいずれか１項に記載のズームレンズ。
但し、エレメントとは単一レンズ又は空気間隔の無い接合レンズである。
【請求項１９】
前記第１レンズ群、前記第３レンズ群及び前記第５レンズ群が、変倍時に移動しないことを特徴とする請求項１乃至１８のいずれか１項に記載のズームレンズ。
【請求項２０】
請求項１乃至１９のいずれか１項に記載のズームレンズと、歪曲収差及び／又は倍率色収差を電気的に補正する回路とを備えることを特徴とする撮像装置。
【請求項２１】
請求項１乃至１９のいずれか１項に記載のズームレンズを備え、
前記第５レンズ群の第１接合レンズ及び第２接合レンズを光軸と垂直な方向に移動させることにより手ぶれ補正を行うことを特徴とする撮像装置。
【請求項２２】
請求項１乃至１９のいずれか１項に記載のズームレンズと、歪曲収差及び／又は倍率色収差を電気的に補正する回路とを備え、
前記第５レンズ群の第１接合レンズ及び第２接合レンズを光軸と垂直な方向に移動させることにより手ぶれ補正を行うことを特徴とする撮像装置。
【発明の詳細な説明】
【技術分野】
【０００１】
本発明は、小型のデジタルスチルカメラやデジタルビデオカメラ（以下、総称してデジタルカメラという）に好適なズームレンズ、及びそのズームレンズとＣＣＤやＣＭＯＳ等の撮像素子を備える撮像装置に関する。
【背景技術】
【０００２】
従来より、デジタルカメラに採用されるズームレンズは、広画角，高変倍，低コスト，小型であることなどが要求されている。
【０００３】
そして、そのような要求を満たすズームレンズとしては、物体側から順に、正のパワーを持つ第１レンズ群と、負のパワーを持つ第２レンズ群と、正のパワーを持つ第３レンズ群と、正のパワーを持つ第４レンズ群と、負のパワーを持つ第５群とからなり、第１レンズ群中に光路を変更するプリズムを備えるものが知られており、下記の特許文献１にその一例が記載されている。このようなズームレンズは、４．５倍程度の高変倍比や良好な光学特性を実現しつつ、それを採用するデジタルカメラの薄型化を図ることができる。さらに、第５レンズ群が、接合レンズのみにより構成されているため、製造も容易である。また、第５レンズ群において、光学手ぶれ補正をすることも可能である。
【０００４】
【特許文献１】特開２００５−１８１６３５号公報
【発明の開示】
【発明が解決しようとする課題】
【０００５】
しかし、特許文献１に記載されているズームレンズは、高変倍化や高画角化を達成しようとする場合、特に第５レンズ群において、軸上の収差が発生しやすいという問題があった。また、製造技術の観点においても、特許文献１に記載されているズームレンズは、第５レンズ群を構成する接合レンズに軸ずれが発生した場合、像面が大きく傾いてしまうという問題があった。
【０００６】
本発明は、このような従来技術の問題点に鑑みてなされたものであり、その目的とするところは、小型であり、７倍程度の高変倍を有し、軸上，軸外の収差に関して優れた光学特性を有するズームレンズ、及びそれを用いた撮像装置を提供することである。
【課題を解決するための手段】
【０００７】
上記の目的を達成するために、本発明のズームレンズは、複数のレンズ群の間隔を適宜変化させることによって変倍を行い、物体側から順に、正のパワーを持ち光路を変更する反射部材を備えている第１レンズ群と、負のパワーを持つ第２レンズ群と、正のパワーを持ち明るさ絞りと一体の第３レンズ群と、正のパワーを持つ第４レンズ群と、第５レンズ群とからなるズームレンズにおいて、前記第５レンズ群は、物体側から順に、第１接合レンズと、第２接合レンズとにより構成されており、前記第１接合レンズの最も像側のレンズと前記第２接合レンズの最も物体側のレンズとが共に正のパワーを持つ又は共に負のパワーを持ち、以下の条件式を満足することを特徴とする。
０．９２  ＜  Ｄ5／ｆw  ＜  ２．０                  ・・・（１）
但し、Ｄ5は前記第１接合レンズと前記第２接合レンズとの間の光軸上の距離、ｆwは広角端におけるズームレンズの焦点距離である。
また、上記の目的を達成するために、本発明のズームレンズは、複数のレンズ群の間隔を適宜変化させることによって変倍を行い、物体側から順に、正のパワーを持ち光路を変更する反射部材を備えている第１レンズ群と、負のパワーを持つ第２レンズ群と、正のパワーを持ち明るさ絞りと一体の第３レンズ群と、正のパワーを持つ第４レンズ群と、第５レンズ群とからなるズームレンズにおいて、前記第５レンズ群は、物体側から順に、第１接合レンズと、第２接合レンズとにより構成されており、前記第１接合レンズの最も像側のレンズと前記第２接合レンズの最も物体側のレンズとが共に正のパワーを持つ又は共に負のパワーを持ち、以下の条件式を満足することを特徴とする。
０．０１  ＜  ｜ｆl51／ｆl52｜  ＜  ０．９５      ・・・（２）
但し、ｆl51は前記第１接合レンズの負レンズの焦点距離、ｆl52は前記第２接合レンズの正レンズの焦点距離である。
さらに、上記の目的を達成するために、本発明のズームレンズは、複数のレンズ群の間隔を適宜変化させることによって変倍を行い、物体側から順に、正のパワーを持ち光路を変更する反射部材を備えている第１レンズ群と、負のパワーを持つ第２レンズ群と、正のパワーを持ち明るさ絞りと一体の第３レンズ群と、正のパワーを持つ第４レンズ群と、第５レンズ群とからなるズームレンズにおいて、前記第５レンズ群は、物体側から順に、第１接合レンズと、第２接合レンズとにより構成されており、前記第１接合レンズの最も像側のレンズと前記第２接合レンズの最も物体側のレンズとが共に正のパワーを持つ又は共に負のパワーを持ち、以下の条件式を満足することを特徴とする。
５  ＜  ｜ｆG5／ｆw｜  ＜  ８０                    ・・・（３）
但し、ｆG5は前記第５レンズ群の焦点距離、ｆｗは広角端におけるズームレンズの焦点距離である。
【０００９】
また、本発明のズームレンズは、前記第１接合レンズが、物体側から順に、負レンズと正レンズとからなり、前記第２接合レンズが、物体側から順に、正レンズと負レンズとからなる、又は、前記第１接合レンズが、物体側から順に、正レンズと負レンズとからなり、前記第２接合レンズが、物体側から順に、負レンズと正レンズとからなることが好ましい。
【００１２】
また、本発明のズームレンズは、以下の条件式を満足することが好ましい。
３０  ＜  νd52  −  νd51  ＜  ７０              ・・・（４）
但し、νd51は前記第１接合レンズの最も物体側のレンズのアッベ数、νd52は前記第２接合レンズの最も像側のレンズのアッベ数である。
【００１３】
また、本発明のズームレンズは、前記第５レンズ群が、負のパワーを持つ、又は、正のパワーを持つことが好ましい。
【００１４】
また、本発明のズームレンズは、以下の条件式を満足することが好ましい。
３．０  ＜  ｆt／ｆw  ＜  １０．０                ・・・（５）
但し、ｆwは広角端におけるズームレンズの焦点距離、ｆtは望遠端におけるズームレンズの焦点距離である。
【００１５】
また、本発明のズームレンズは、前記反射部材が、プリズムであり、以下の条件式を満足することが好ましい。
１  ＜  Ｄp／ｉｈw  ＜  ５                        ・・・（６）
ただし、Ｄpは光軸上における前記プリズムの長さ、ｉｈwは広角端における像高である。
【００１６】
また、本発明のズームレンズは、以下の条件式のいずれか一方又は両方を同時に満足することが好ましい。
１  ＜  ｅｎｐ（ｗ）／ｉｈw  ＜  ５               ・・・（７）
０．５  ＜  ｆw／ｉｈw  ＜  ５                    ・・・（８）
但し、ｅｎｐ（ｗ）は広角端におけるズームレンズの入射瞳位置とズームレンズの最も物体側のレンズとの間の距離、ｉｈwは広角端における像高、ｆwは広角端におけるズームレンズの焦点距離である。
【００１７】
また、本発明のズームレンズは、前記第1レンズ群が、物体側から順に、負のパワーを持つ第１レンズと、前記反射部材と、正のパワーを持つ第２レンズと、正のパワーを持つ第３レンズとにより構成されていることが好ましい。
【００１８】
また、本発明のズームレンズは、第１レンズ群が、最も物体側に負パワーを持つ第１レンズを備える場合に、以下の条件式を満足することが好ましい。
１．９５  ＜  ｎd1  ＜  ２．１                      ・・・（９）
１８  ＜  νd1  ＜  ３０                            ・・・（１０）
但し、ｎd1は前記第１レンズ群の負のパワーを持つ第１レンズの屈折率、νd1は前記第１レンズ群の負のパワーを持つ第１レンズのアッベ数である。
【００１９】
また、本発明のズームレンズは、前記第２レンズ群が、物体側から順に、負のパワーを持つ第１レンズと、負のパワーを持つ第２レンズと、接合レンズとにより構成されることが好ましい。
【００２０】
また、本発明のズームレンズは、前記第３レンズ群を構成するエレメントの少なくとも一つが、少なくとも一つの非球面を有することが好ましい。但し、エレメントとは単一レンズ又は空気間隔の無い接合レンズである。
【００２１】
また、本発明のズームレンズは、前記第４レンズ群が、接合レンズのみにより構成されることが好ましい。
【００２２】
また、本発明のズームレンズは、前記第４レンズ群を構成するエレメントの少なくとも一つが、少なくとも一つの非球面を有することが好ましい。但し、エレメントとは単一レンズ又は空気間隔の無い接合レンズである。
【００２３】
また、本発明のズームレンズは、前記第３レンズ群及び第４レンズ群が、いずれも一つのエレメントにより構成されることが好ましい。但し、エレメントとは単一レンズ又は空気間隔の無い接合レンズである。
【００２４】
また、本発明のズームレンズは、前記第１レンズ群、前記第３レンズ群及び前記第５レンズ群が、変倍時に移動しないことが好ましい。
【００２５】
また、上記の目的を達成するために、本発明の撮像装置は、上記いずれかのズームレンズと、歪曲収差及び／又は倍率色収差を電気的に補正する回路とを備えることを特徴とする。
【００２６】
また、上記の目的を達成するために、本発明の撮像装置は、上記いずれかのズームレンズを備え、前記第５レンズ群の第１接合レンズ及び第２接合レンズを光軸と垂直な方向に移動させることにより手ぶれ補正を行うことを特徴とする。
【００２７】
また、上記の目的を達成するために、本発明の撮像装置は、上記いずれかのズームレンズと、歪曲収差及び／又は倍率色収差を電気的に補正する回路とを備え、前記第５レンズ群の第１接合レンズ及び第２接合レンズを光軸と垂直な方向に移動させることにより手ぶれ補正を行うことを特徴とする。
【発明の効果】
【００２８】
本発明によれば、小型であり、７倍程度の高変倍を有し、軸上，軸外の収差に関して優れた光学特性を有するズームレンズ、及びそれを用いた撮像装置を提供することができる。
【発明を実施するための最良の形態】
【００２９】
本発明のズームレンズ及びそれを用いた撮像装置の実施例の説明に先立ち、本発明の各構成による作用効果を説明する。
【００３０】
本発明のズームレンズは、物体側から順に、正のパワーを持ち光路を変更する反射部材を備えている第１レンズ群と、負のパワーを持つ第２レンズ群と、正のパワーを持ち明るさ絞りと一体の第３レンズ群と、正のパワーを持つ第４レンズ群と、第５レンズ群とを有し、それらのレンズ群の間隔を適宜変化させることによって変倍を行う構成としている。
【００３１】
このように、本発明のズームレンズは、第１レンズ群に光路を変更する反射部材を備えて光路を第１レンズ群中で変更させるようにしたことにより、変倍やフォーカシングを行うためにその他のレンズ群を移動させる方向が入射光軸に沿う方向と異なることとなるため、ズームレンズの入射光軸に沿う方向のカメラの厚さを薄くすることができる。また、このような５つのレンズ群からなる構成であるため、第１レンズ群の反射部材よりも像側において光線高を高くしなくても変倍を行うことができ、小型化と高変倍をともに達成することができる。
【００３２】
そして、本発明のズームレンズは、このような反射部材を含む５つのレンズ群からなる構成を前提とし、さらに、第５レンズ群が、物体側から順に、第１接合レンズと、第２接合レンズとにより構成されており、第１接合レンズの最も像側のレンズと第２接合レンズの最も物体側のレンズのとが共に正のパワーを持つ又は共に負のパワーを持つ構成としている。
【００３３】
このように、第５レンズ群を接合レンズのみによって構成することにより、レンズ同士の軸ずれを防止することができ、また、色収差を良好に補正することができる。また、第５レンズ群を構成する２つの接合レンズに対称性を持たせることにより、軸上収差やペッツバール和を良好に補正することができる。さらに、第５レンズ群を構成する２つの接合レンズ同士の軸ずれが生じてしまった場合でも、像面の傾きを抑えることができる。また、そのため、第５レンズ群の接合レンズを光軸と垂直な方向に移動させることにより、光学的に手ぶれを防止することもできる。
【００３４】
また、本発明のズームレンズは、以下の条件式を満足することが好ましい。
０．９２  ＜  Ｄ5／ｆw  ＜  ２．０                   ・・・（１）
但し、Ｄ5は第１接合レンズと第２接合レンズとの間の光軸上の距離、ｆwは広角端におけるズームレンズの焦点距離である。
【００３５】
条件式（１）は、第５レンズ群を構成する第１接合レンズと第２接合レンズとの間の光軸上の距離を規定するための条件式である。その距離が条件式（１）の範囲内であれば、接合レンズ同士の軸ずれがおこった場合でも、顕著な光学性能の低下を招くことがない。条件式（１）の下限値を下回ると、接合レンズ同士の軸ずれがおこった場合、顕著な光学特性の低下を招きやすい。一方、条件式（１）の上限値を上回ると、ズームレンズの全長が長くなりすぎてしまうため好ましくない。
【００３６】
なお、条件式（１）に代わり、次の条件式（１）’，（１）”のいずれかを満足するように構成するとさらに好ましい。
１．０  ＜  Ｄ5／ｆw  ＜  １．７                     ・・・（１）’
１．２  ＜  Ｄ5／ｆw  ＜  １．５                     ・・・（１）”
また、条件式（１）’の上限値又は下限値を、条件式（１），（１）”の上限値又は下限値としても良いし、条件式（１）”の上限値又は下限値を、条件式（１），（１）’の上限値又は下限値としても良い。
【００３７】
また、本発明のズームレンズは、第１接合レンズが、物体側から順に、負レンズと正レンズとからなり、第２接合レンズが、物体側から順に、正レンズと負レンズとからなる、又は、第１接合レンズが、物体側から順に、正レンズと負レンズとからなり、第２接合レンズが、物体側から順に、負レンズと正レンズとからなることが好ましい。
【００３８】
このように、第５レンズ群を構成する２つの接合レンズの正レンズ又は負レンズが、互いに向かい合うように配置し、２つの接合レンズに対称性を持たせると、軸上収差やペッツバール和を良好に補正しやすい。また、それらの接合レンズ同士に軸ずれが生じた場合でも、像面の傾きが少なく、良好な画像を得やすい。
【００３９】
また、本発明のズームレンズは、接合レンズが正レンズと負レンズとにより構成されている場合、以下の条件式を満足することが好ましい。
０．０１  ＜  ｜ｆl51／ｆl52｜  ＜  ０．９５         ・・・（２）
但し、ｆl51は第１接合レンズの負レンズの焦点距離、ｆl52は第２接合レンズの正レンズの焦点距離である。
【００４０】
条件式（２）は、第５レンズ群を構成する第１接合レンズの持つパワーと結像レンズである第２接合レンズの持つパワーとの関係を規定する条件式である。そのパワーが条件式（２）の範囲内であれば、第１接合レンズによって光線を無理なく屈折させた後、結像レンズである第２接合レンズによって無理なく結像を行うことができる。条件式（２）の下限値を下回ると、第１接合レンズの持つ負のパワーが弱くなりすぎてしまい、反射部材よりも像側の位置での光線高を高くしなければならず、ズームレンズが大型化を招きやすい。一方、条件式（２）の上限値を上回ると、第１接合レンズの持つ負のパワーが強くなりすぎてしまい、第５レンズ群において軸ずれが生じた場合に光学特性が大きく低下しやすい。
【００４１】
なお、条件式（２）に代わり、次の条件式（２）’，（２）”のいずれかを満足するように構成するとさらに好ましい。
０．０３  ＜  ｜ｆl51／ｆl52｜  ＜  ０．８           ・・・（２）’
０．０５  ＜  ｜ｆl51／ｆl52｜  ＜  ０．６           ・・・（２）”
また、条件式（２）’の上限値又は下限値を、条件式（２），（２）”の上限値又は下限値としても良いし、条件式（２）”の上限値又は下限値を、条件式（２），（２）’の上限値又は下限値としても良い。
【００４２】
また、本発明のズームレンズは、以下の条件式を満足することが好ましい。
５  ＜  ｜ｆG5／ｆw｜  ＜  ８０                      ・・・（３）
但し、fG5は第５レンズ群の焦点距離、ｆｗは広角端におけるズームレンズの焦点距離である。
【００４３】
条件式（３）は、第５レンズ群の焦点距離を広角端におけるズームレンズの焦点距離で規格化したものである。その焦点距離が条件式（３）の範囲内であれば、無理なく光線を屈折させることができる。条件式（３）の下限値を下回ると、第５レンズ群の持つ負のパワーが弱くなりすぎてしまうため、反射部材よりも像側の位置における光線高が高くなりすぎてしまい、ズームレンズの大型化を招きやすい。一方、条件式（３）の上限値を上回ると、第５レンズ群の持つパワーが大きくなりすぎてしまい、第５レンズ群において軸ずれが生じた場合に光学特性が大きく低下しやすい。
【００４４】
なお、条件式（３）に代わり、次の条件式（３）’，（３）”のいずれかを満足するように構成するとさらに好ましい。
８  ＜  ｜ｆG5／ｆw｜  ＜  ６０                      ・・・（３）’
１１  ＜  ｜ｆG5／ｆw｜  ＜  ３０                    ・・・（３）”
また、条件式（３）’の上限値又は下限値を、条件式（３），（３）”の上限値又は下限値としても良いし、条件式（３）”の上限値又は下限値を、条件式（３），（３）’の上限値又は下限値としても良い。
【００４５】
また、本発明のズームレンズは、以下の条件式を満足することが好ましい。
３０  ＜  νd52  −  νd51  ＜  ７０                 ・・・（４）
但し、νd51は前記第１接合レンズの最も物体側のレンズのアッベ数、νd52は前記第２接合レンズの最も像側のレンズのアッベ数である。
【００４６】
条件式（４）は、第５レンズ群の接合レンズにおいて、色収差を良好に補正するための条件式である。条件式（４）の下限値を下回ると、長波長領域における色収差と短波長領域における色収差の差が大きくなりやすい。一方、条件式（４）の上限値を上回ると、硝材の入手性が悪くなりコストアップや量産性の悪化につながる。
【００４７】
なお、条件式（４）に代わり、次の条件式（４）’，（４）”のいずれかを満足するように構成するとさらに好ましい。
４０  ＜  νd52  −  νd51  ＜  ６５                 ・・・（４）’
５０  ＜  νd52  −  νd51  ＜  ６０                 ・・・（４）”
また、条件式（４）’の上限値又は下限値を、条件式（４），（４）”の上限値又は下限値としても良いし、条件式（４）”の上限値又は下限値を、条件式（４），（４）’の上限値又は下限値としても良い。
【００４８】
また、本発明のズームレンズは、前記第５レンズ群が、負のパワーを持つ、又は、正のパワーを持つことが好ましい。
【００４９】
このように、第５レンズ群がパワーを持つように構成すれば、第５レンズ群にもパワーを分担させることができるため収差の発生を抑えやすく、また、第５レンズ群をフォーカス群としても利用することができる。
【００５０】
また、本発明のズームレンズは、以下の条件式を満足することが好ましい。
３．０  ＜  ｆt／ｆw  ＜  １０．０                   ・・・（５）
但し、ｆwは広角端におけるズームレンズの焦点距離、ｆtは望遠端におけるズームレンズの焦点距離である。
【００５１】
条件式（５）は変倍比に関する式であり、条件式（５）の下限値を下回ると、所望の変倍比が得られなくなる。一方、条件式（５）の上限値を上回ると、広角端や望遠端における全長が肥大化しやすい。
【００５２】
なお、条件式（５）に代わり、次の条件式（５）’，（５）”のいずれかを満足するように構成するとさらに好ましい。
４．０  ＜  ｆt／ｆw  ＜  ９．０                     ・・・（５）’
５．０  ＜  ｆt／ｆw  ＜  ８．０                     ・・・（５）”
また、条件式（５）’の上限値又は下限値を、条件式（５），（５）”の上限値又は下限値としても良いし、条件式（５）”の上限値又は下限値を、条件式（５），（５）’の上限値又は下限値としても良い。
【００５３】
また、本発明のズームレンズは、反射部材が、プリズムであり、以下の条件式を満足することが好ましい。
１  ＜  Ｄp／ｉｈw  ＜  ５                           ・・・（６）
ただし、Ｄpは光軸上における前記プリズムの長さ、ｉｈwは広角端における像高である。
【００５４】
条件式（６）は、光線を変更するプリズムをズームレンズ内に無理なく配置するための条件式である。条件式（６）の下限値を下回ると、周辺光量が著しく低下してしまうため、好ましくない。一方、条件式（６）の上限値を上回ると、全長の肥大化につながる。
【００５５】
なお、条件式（６）に代わり、次の条件式（６）’，（６）”のいずれかを満足するように構成するとさらに好ましい。
１．５  ＜  Ｄp  ／  ｉｈw  ＜  ４                  ・・・（６）’
２．５  ＜  Ｄp  ／  ｉｈw  ＜  ３．５              ・・・（６）”
また、条件式（６）’の上限値又は下限値を、条件式（６），（６）”の上限値又は下限値としても良いし、条件式（６）”の上限値又は下限値を、条件式（６），（６）’の上限値又は下限値としても良い。
【００５６】
また、本発明のズームレンズは、以下の条件式のいずれか一方又は両方を同時に満足することが好ましい。
１  ＜  ｅｎｐ（ｗ）／ｉｈw  ＜  ５                  ・・・（７）
０．５  ＜  ｆw／ｉｈw  ＜  ５                       ・・・（８）
但し、ｅｎｐ（ｗ）は広角端におけるズームレンズの入射瞳位置とズームレンズの最も物体側のレンズとの間の距離、ｉｈwは広角端における像高、ｆwは広角端におけるズームレンズの焦点距離である。
【００５７】
条件式（７）は、入射瞳の位置を規定するための条件式である。その入射瞳の位置が、条件式（７）の範囲内であれば、入射瞳を物体側へ移動させて、第１レンズ群へ入射する光線高を下げることができ、反射部材の光軸上の厚みを薄くしやすい。条件式（７）の下限値を下回る、又は、上限値を上回ると、反射部材の光軸上の厚みが厚くなりすぎてしまい、ズームレンズを構成しにくくなる。
【００５８】
なお、条件式（７）に代わり、次の条件式（７）’，（７）”のいずれかを満足するように構成するとさらに好ましい。
１．５  ＜  ｅｎｐ（ｗ）／ｉｈw  ＜  ４              ・・・（７）’
２  ＜  ｅｎｐ（ｗ）／ｉｈw  ＜  ３                  ・・・（７）”
また、条件式（７）’の上限値又は下限値を、条件式（７），（７）”の上限値又は下限値としても良いし、条件式（７）”の上限値又は下限値を、条件式（７），（７）’の上限値又は下限値としても良い。
【００５９】
条件式（８）は、ズームレンズの広角端における焦点距離を規定するための条件式である。条件式（８）の下限値を下回ると、第１レンズ群の反射光学素子を小型にするためには、第１レンズ群の最も物体側の負レンズの入射瞳位置をさらに物体側にしなければならず、その負レンズのパワーを非常に強くしなければならないため、収差を良好に補正することが困難になる。一方、条件式（８）の上限値を上回ると、望遠端において高変倍化したときに、全長を肥大化せずに色収差を良好に補正することが困難になる。
【００６０】
なお、条件式（８）に代わり、次の条件式（８）’，（８）”のいずれかを満足するように構成するとさらに好ましい。
０．９  ＜  ｆw／ｉｈw  ＜  ２．５                 ・・・（８）’
１．１  ＜  ｆw／ｉｈw  ＜  １．６                 ・・・（８）”
また、条件式（８）’の上限値又は下限値を、条件式（８），（８）”の上限値又は下限値としても良いし、条件式（８）”の上限値又は下限値を、条件式（８），（８）’の上限値又は下限値としても良い。
【００６１】
また、本発明のズームレンズは、第1レンズ群が、物体側から順に、負のパワーを持つ第１レンズと、反射部材と、正のパワーを持つ第２レンズと、正のパワーを持つ第３レンズとにより構成されていることが好ましい。
【００６２】
このような構成にすれば、有効径を小さくすることができ、十分なパワーを持たせながらも、収差、特に広角端における軸外の収差を良好に補正しやすい。
【００６３】
また、本発明のズームレンズは、第１レンズ群が、最も物体側に負パワーの第１レンズを備える場合に、以下の条件式を満足することが好ましい。
１．９５  ＜  ｎd1  ＜  ２．１                      ・・・（９）
１８  ＜  νd1  ＜  ３０                            ・・・（１０）
但し、ｎd1は第１レンズ群の負のパワーを持つ第１レンズの屈折力、νd1は第１レンズ群の負のパワーを持つ第１レンズのアッベ数である。
【００６４】
条件式（９），（１０）は、第１レンズ群の最も物体側の負のパワーを持つ第１レンズの屈折率を確保しつつ、収差を抑え、ズームレンズの全長を小型化するための条件式である。
【００６５】
条件式（９）の下限値を下回ると、第１レンズ群の最も物体側の負レンズの曲率半径が小さくなり、軸外収差が発生しやすい。一方、条件式（９）の上限値を上回ると、第１レンズ群の最も物体側の負レンズを形成するための硝材の入手性が悪くなり、コストアップや量産性の悪化につながる。
【００６６】
また、条件式（９）を満たしつつ、条件式（１０）の下限値を下回る、又は、上限値を上回ると、第１レンズ群の最も物体側の負レンズを形成するための硝材の入手性が悪くなり、コストアップや量産性の悪化につながる。
【００６７】
また、本発明のズームレンズは、第２レンズ群が、物体側から順に、負のパワーを持つ第１レンズと、負のパワーを持つ第２レンズと、接合レンズとにより構成されることが好ましい。
【００６８】
このように、第２レンズ群に負のパワーの第１レンズと第２レンズを配置する構成とすれば、それらのレンズによって負のパワーを良好に分配することができるため、軸上の収差の発生を抑えやすい。また、このように、第２レンズ群に接合レンズを配置する構成とすれば、軸上及び倍率色収差を補正しやすい。
【００６９】
また、本発明のズームレンズは、第３レンズ群を構成するエレメントの少なくとも一つが、少なくとも一つの非球面を有することが好ましい。
【００７０】
このように構成すれば、特に望遠端における球面収差を良好に補正しやすい。
【００７１】
また、本発明のズームレンズは、第４レンズ群が、接合レンズのみにより構成されることが好ましい。
【００７２】
このように構成すれば、色収差を良好に補正しやすく、また、製造誤差の影響を受けにくい。
【００７３】
また、本発明のズームレンズは、第４レンズ群を構成するエレメントの少なくとも一つが、少なくとも一つの非球面を有することが好ましい。
【００７４】
このように構成すれば、特に軸上の収差を良好に補正しやすい。
【００７５】
また、本発明のズームレンズは、第３レンズ群及び第４レンズ群が、いずれも一つのエレメントにより構成されることが好ましい。
【００７６】
このように構成すれば、低コストで製造することができ、また、製造誤差の影響を受けにくい。
【００７７】
また、本発明のズームレンズは、第１レンズ群、第３レンズ群及び第５レンズ群が、変倍時に移動しないことが好ましい。
【００７８】
このように構成すれば、低コストで製造することができ、また、製造誤差の影響を受けにくく、さらに、軽量化しやすい。
【００７９】
また、本発明の撮像装置は、上記のいずれかのズームレンズと、歪曲収差及び／又は倍率色収差を電気的に補正する回路とを備える構成としている。
【００８０】
このようにズームレンズの歪曲収差を許容することのできる構成にすれば、ズームレンズのレンズ枚数の削減や小型化がしやすくなる。また、倍率色収差を電気的に補正することにより、撮影画像の色にじみを軽減し、また、解像力の向上を図ることができる。
【００８１】
また、本発明の撮像装置は、上記のいずれかのズームレンズを備え、第５レンズ群の第１接合レンズ及び第２接合レンズを光軸と垂直な方向に移動させることにより手ぶれ補正を行う構成としている。
【００８２】
上記のズームレンズは、第５レンズ群を構成する接合レンズが対称性を持つため、それらの接合レンズ同士の軸ずれが生じた場合でも、像面の傾きを抑えることができる。そのため、第５レンズ群を構成する接合レンズを、光軸と垂直な方向に移動させることにより、手振れ防止を光学的に行うことができる。
【００８３】
なお、本発明の撮像装置は、歪曲収差及び／又は倍率色収差を電気的に補正する回路とを備えている場合であっても、第５レンズ群の第１接合レンズ及び第２接合レンズを光軸と垂直な方向に移動させることにより手ぶれ補正を行うことが好ましい。
【００８４】
以下に、本発明の実施例１〜実施例５を図面を参照して説明する。
【００８５】
図面中、光学系断面図におけるｒ1，ｒ2，・・・・・・及びｄ1，ｄ2，・・・・・・において下付き文字として示した数字は、数値データにおける面番号１，２，・・・に対応している。また、収差曲線図において、非点収差におけるΔＭはメリジオナル面の非点収差，ΔＳはサジタル面の非点収差を示している。なお、メリジオナル面とは、光学系の光軸と主光線を含む面（紙面に平行な面）であり、サジタル面とは、光学系の光軸と主光線を含む面に垂直な面（紙面に垂直な面）を意味している。
【００８６】
また、以下の各実施例におけるレンズの数値データにおいては、Ｒは各面の曲率半径、Ｄは面間隔、Ｎｄはｄ線における屈折率、νｄはｄ線におけるアッベ数、Ｋは円錐係数、Ａ4，Ａ6，Ａ8，Ａ10は非球面係数をそれぞれ示している。
【００８７】
また、各非球面形状は、各実施例における各非球面係数を用いて以下の式で表される。但し、光軸に沿う方向の座標をＺ、光軸と垂直な方向の座標をＹとする。
Ｚ＝（Ｙ2／ｒ）／［１＋｛１−（１＋Ｋ）・（Ｙ／ｒ）2｝1/2］
＋Ａ4Ｙ4＋Ａ6Ｙ6＋Ａ8Ｙ8＋Ａ10Ｙ10＋・・・
【実施例１】
【００８８】
図１は、本実施例に係るズームレンズの無限遠物点合焦時の光学構成を示す光軸に沿う断面図であり、（ａ）は広角端、（ｂ）は中間、（ｃ）は望遠端における状態をそれぞれ示している。図２は、図１に示したズームレンズの無限遠物点合焦時における球面収差，非点収差，歪曲収差，倍率色収差を示す図であり、（ａ）は広角端、（ｂ）は中間、（ｃ）は望遠端における状態をそれぞれ示している。
【００８９】
まず、図１を用いて、本実施例のズームレンズの光学構成を説明する。本実施例のズームレンズは、光軸Ｌｃ上に、物体側から順に、正のパワーを持つ第１レンズ群Ｇ1と、負のパワーを持つ第２レンズ群Ｇ2と、正のパワーを持つ第３レンズ群Ｇ3と、正のパワーを持つ第４レンズ群Ｇ4と、負のパワーを持つ第５レンズ群Ｇ5とにより構成されている。また、第３レンズ群Ｇ3と第４レンズ群Ｇ4との間には、第３レンズ群Ｇ3と一体的に構成された明るさ絞りＳが配置されている。なお、第５レンズ群Ｇ5の像側には、物体側から順に、ＣＣＤカバーガラスＣＧ、撮像面ＩＭを持つＣＣＤが配置されている。
【００９０】
第１レンズ群Ｇ1は、物体側から順に、両凹レンズであり負のパワーを持つ第１レンズＬ11と、光路を変更する反射部材であるプリズムＰと、両面が非球面の両凸レンズであり正のパワーを持つ第２レンズＬ12と、両凸レンズであり正のパワーを持つ第３レンズＬ13とにより構成されている。
【００９１】
第２レンズ群Ｇ2は、物体側から順に、像側の面が非球面の両凹レンズであり負のパワーを持つ第１レンズＬ21と、像側に凸面を向けたメニスカスレンズであり負のパワーを持つ第２レンズＬ22と、両凸レンズであり正のパワーを持つ第３レンズＬ23と両凹レンズであり負のパワーを持つ第４レンズＬ24との接合レンズとにより構成されている。
【００９２】
第３レンズ群Ｇ3は、両面が非球面の両凸レンズであり正のパワーを持つレンズＬ3のみにより構成されている。
【００９３】
第４レンズ群Ｇ4は、物体側の面が非球面の両凸レンズであり正のパワーを持つ第４レンズＬ41と像側に凸面を向けたメニスカスレンズであり負のパワーを持つ第２レンズＬ42との接合レンズのみにより構成されている。
【００９４】
前記第５レンズ群は、物体側から順に、物体側に凸面を向けたメニスカスレンズであり負のパワーを持つ第１レンズＬ51と物体側に凸面を向けたメニスカスレンズであり正のパワーを持つ第２レンズＬ52とからなる第１接合レンズと、両凸レンズであり正のパワーを持つ第３レンズＬ53と像側に凸面を向けたメニスカスレンズであり負のパワーを持つ第４レンズＬ54とからなる第２接合レンズとにより構成されている。
【００９５】
また、広角端から望遠端に変倍する際に、第１レンズ群Ｇ1は、光軸Ｌｃ上を移動しない。第２レンズ群Ｇ2は、第１レンズ群Ｇ1との間隔を広げつつ光軸Ｌｃ上を像側に移動する。第３レンズ群Ｇ３は、光軸Ｌｃ上を移動しない。第４レンズ群Ｇ4は、第３レンズ群Ｇ3との間隔を狭めつつ光軸Ｌｃ上を物体側に移動する。第５レンズ群Ｇ5は、光軸Ｌｃ上を移動しない。また、明るさ絞りＳは、第３レンズ群Ｇ3と一体的に構成されているため、光軸Ｌｃ上を移動しない。
【００９６】
次に、本実施例に係る各光学系を構成するレンズの構成及び数値データを示す。なお、単位はｍｍである。
【００９７】
面データ
面番号                曲率半径    面間隔    屈折率    アッベ数
Ｒ         Ｄ       Ｎｄ       νｄ
1                  -991.738     0.60     2.00170     20.64 
2                    17.494     1.72 
3                    ∞        11.80     1.90366     31.32 
4                    ∞         0.10 
5  （非球面）        53.193     2.07     1.76200     40.10 
6  （非球面）       -27.668     0.10 
7                    14.676     2.30     1.49700     81.54 
8                   -53.371     Ｄ８
9                  -148.204     0.45     1.88300     40.76 
10  （非球面）         5.610     1.43 
11                    -8.651     0.45     1.80400     46.57 
12                 -1842.371     0.20 
13                    16.899     1.23     1.92286     20.88 
14                   -19.218     0.45     1.80400     46.57 
15                   140.867    Ｄ１５
16  （非球面）        12.323     1.24     1.65844     50.88 
17  （非球面）       -27.991     1.00 
18（明るさ絞り）      ∞        Ｄ１８
19  （非球面）        18.810     2.05     1.49700     81.54 
20                    -7.109     0.45     1.78470     26.29 
21                   -10.539    Ｄ２１
22                   129.251     0.45     2.00069     25.46 
23                     6.118     1.36     1.49700     81.54 
24                    71.470     6.91 
25                    23.115     2.28     1.78472     25.68 
26                    -6.937     0.50     2.00069     25.46 
27                   -26.954     2.80 
28                    ∞         1.33     1.51680     64.20 
29                    ∞         0.60 
30  （撮像面）        ∞
【００９８】
非球面データ
面番号  曲率半径  円錐係数                       非球面係数                    
Ｒ        Ｋ          Ａ4          Ａ6          Ａ8          Ａ10
5     53.193    0.000  -4.13793e-05   5.20981e-07  -1.66347e-08   1.55565e-10
6    -27.668    0.000  -2.26318e-05   4.80322e-07  -1.52834e-08   1.35537e-10
10      5.610    0.000  -3.66865e-05   7.59406e-07   7.32331e-08   3.02984e-08
16     12.323    0.728  -1.97149e-04  -4.73709e-06   2.07347e-07  -4.21866e-09
17    -27.991  -11.722  -6.48416e-05  -3.00951e-06   1.78756e-07  -3.59418e-09
19     18.810   -1.486  -2.82443e-04   3.47842e-06  -1.54363e-07   4.44991e-09
【００９９】
各種データ
ズーム比    6.73
広角      中間      望遠
焦点距離        5.13     12.00     34.51
Ｆナンバー       3.51      3.81      6.00
画角         82.74     34.04     12.01
像高          3.84      3.84      3.84
レンズ全長      64.55     64.55     64.55
バックフォーカス    4.28      4.28      4.28
Ｄ８          0.10      6.36     11.83
Ｄ１５        12.33      6.07      0.60
Ｄ１８         6.36      3.26      2.00
Ｄ２１         2.33      5.44      6.69
【０１００】
ズームレンズ群データ
群   始面   焦点距離
1     1      14.53
2     9      -4.92
3    16      13.15
4    19      16.83
5    22     -63.43
【０１０１】
上記条件式に係るデータ
条件式（１）  ０．９２  ＜  Ｄ5／ｆw  ＜  ２．０  ：  １．３５
条件式（２）  ０．０１  ＜  ｜ｆl51／ｆl52｜  ＜  ０．９５  ：  ０．０６
条件式（３）  ５  ＜  ｜ｆG5／ｆw｜  ＜  ８０  ：  １２．３７
条件式（４）  ３０  ＜  νd52  −  νd51  ＜  ７０  ：  ５６．０８
条件式（５）  ３．０  ＜  ｆt／ｆw  ＜  １０．０  ：  ６．７３
条件式（６）  １  ＜  Ｄp／ｉｈw  ＜  ５  ：  ３．０７
条件式（７）  １  ＜  ｅｎｐ（ｗ）／ｉｈw  ＜  ５  ：  ２．５３
条件式（８）  ０．５  ＜  ｆw／ｉｈw  ＜  ５  ：  １．３４
条件式（９）  １．９５  ＜  ｎd1  ＜  ２．１  ：  ２．００
条件式（１０）  １８  ＜  νd1  ＜  ３０  ：  ２０．６４
【０１０２】
次に、本実施例のズームレンズを備えた撮像装置が、電気的に歪曲収差を補正する回路を備えている場合について説明する。
【０１０３】
本実施例の撮像装置が備えているズームレンズでは、ＣＣＤの光電変換面上に、広角端においては樽型の歪曲収差が発生する。一方、中間焦点距離状態付近や望遠端においてはそのような歪曲収差はあまり発生しない。
【０１０４】
そこで、本実施例のズームレンズを備えた撮像装置では、歪曲収差を補正するために、有効撮像領域を、広角端においては樽型形状とし、中間焦点距離状態付近や望遠端においては矩形となるように構成している。そして、広角端において得られた樽型の画像データは、電気的な画像処理により、歪みを低減させた矩形の画像情報に変換し、記録や表示を行っている。
【０１０５】
なお、像高は、広角端における像高は、中間焦点距離状態付近や望遠端における像高よりも小さくなるように構成している。また、広角端においては、光電変換面の短辺方向の長さが、有効撮像領域の短辺方向の長さと同じになるようにしており、画像処理後の歪曲収差が−３％程度残るように有効撮像領域を定めている。もちろん、それよりも小さい樽型の有効撮像領域とし、矩形に変換した画像を記録・再生画像とするようにしてもよい。
【０１０６】
次に、本実施例において、電気的に歪曲収差を補正した場合の数値データを示す。なお、以下に記載していないデータは、上記の電気的に歪曲収差を補正していない場合のデータと同一の値である。また、単位はｍｍである。
【０１０７】
電気的に歪曲収差の補正を行った場合の各種データ
ズーム比    6.73
広角      中間      望遠
焦点距離        5.13     12.00     34.51
Ｆナンバー       3.51      3.81      6.00
画角         78.48     34.04     12.01
像高          3.63      3.84      3.84
【０１０８】
電気的に歪曲収差の補正を行った場合の上記条件式に係るデータ
条件式（１）  ０．９２  ＜  Ｄ5／ｆw  ＜  ２．０  ：  １．３５
条件式（２）  ０．０１  ＜  ｜ｆl51／ｆl52｜  ＜  ０．９５  ：  ０．０６
条件式（３）  ５  ＜  ｜ｆG5／ｆw｜  ＜  ８０  ：  １２．３７
条件式（４）  ３０  ＜  νd52  −  νd51  ＜  ７０  ：  ５６．０８
条件式（５）  ３．０  ＜  ｆt／ｆw  ＜  １０．０  ：  ６．７３
条件式（６）  １  ＜  Ｄp／ｉｈw  ＜  ５  ：  ３．２５
条件式（７）  １  ＜  ｅｎｐ（ｗ）／ｉｈw  ＜  ５  ：  ２．６８
条件式（８）  ０．５  ＜  ｆw／ｉｈw  ＜  ５  ：  １．４１
条件式（９）  １．９５  ＜  ｎd1  ＜  ２．１  ：  ２．００
条件式（１０）  １８  ＜  νd1  ＜  ３０  ：  ２０．６４
【実施例２】
【０１０９】
図３は、本実施例に係るズームレンズの無限遠物点合焦時の光学構成を示す光軸に沿う断面図であり、（ａ）は広角端、（ｂ）は中間、（ｃ）は望遠端における状態をそれぞれ示している。図４は、図３に示したズームレンズの無限遠物点合焦時における球面収差，非点収差，歪曲収差，倍率色収差を示す図であり、（ａ）は広角端、（ｂ）は中間、（ｃ）は望遠端における状態をそれぞれ示している。
【０１１０】
まず、図３を用いて、本実施例のズームレンズの光学構成を説明する。本実施例のズームレンズは、光軸Ｌｃ上に、物体側から順に、正のパワーを持つ第１レンズ群Ｇ1と、負のパワーを持つ第２レンズ群Ｇ2と、正のパワーを持つ第３レンズ群Ｇ3と、正のパワーを持つ第４レンズ群Ｇ4と、負のパワーを持つ第５レンズ群Ｇ5とにより構成されている。また、第３レンズ群Ｇ3と第４レンズ群Ｇ4との間には、第３レンズ群Ｇ3と一体的に構成された明るさ絞りＳが配置されている。なお、第５レンズ群Ｇ5の像側には、物体側から順に、ＣＣＤカバーガラスＣＧ、撮像面ＩＭを持つＣＣＤが配置されている。
【０１１１】
第１レンズ群Ｇ1は、物体側から順に、物体側に凸面を向けたメニスカスレンズであり負のパワーを持つ第１レンズＬ11と、光路を変更する反射部材であるプリズムＰと、両面が非球面の両凸レンズであり正のパワーを持つ第２レンズＬ12と、両凸レンズであり正のパワーを持つ第３レンズＬ13とにより構成されている。
【０１１２】
第２レンズ群Ｇ2は、物体側から順に、像側の面が非球面の両凹レンズであり負のパワーを持つ第１レンズＬ21と、像側に凸面を向けたメニスカスレンズであり負のパワーを持つ第２レンズＬ22と、両凸レンズであり正のパワーを持つ第３レンズＬ23と両凹レンズであり負のパワーを持つ第４レンズＬ24との接合レンズとにより構成されている。
【０１１３】
第３レンズ群Ｇ3は、両面が非球面の両凸レンズであり正のパワーを持つレンズＬ3のみにより構成されている。
【０１１４】
第４レンズ群Ｇ4は、物体側の面が非球面の両凸レンズであり正のパワーを持つ第４レンズＬ41と像側に凸面を向けたメニスカスレンズであり負のパワーを持つ第２レンズＬ42との接合レンズのみにより構成されている。
【０１１５】
前記第５レンズ群は、物体側から順に、両凹レンズであり負のパワーを持つ第１レンズＬ51と物体側に凸面を向けたメニスカスレンズであり正のパワーを持つ第２レンズＬ52とからなる第１接合レンズと、両凸レンズであり正のパワーを持つ第３レンズＬ53と像側に凸面を向けたメニスカスレンズであり負のパワーを持つ第４レンズＬ54とからなる第２接合レンズとにより構成されている。
【０１１６】
また、広角端から望遠端に変倍する際に、第１レンズ群Ｇ1は、光軸Ｌｃ上を移動しない。第２レンズ群Ｇ2は、第１レンズ群Ｇ1との間隔を広げつつ光軸Ｌｃ上を像側に移動する。第３レンズ群Ｇ３は、光軸Ｌｃ上を移動しない。第４レンズ群Ｇ4は、第３レンズ群Ｇ3との間隔を狭めつつ光軸Ｌｃ上を物体側に移動する。第５レンズ群Ｇ5は、光軸Ｌｃ上を移動しない。また、明るさ絞りＳは、第３レンズ群Ｇ3と一体的に構成されているため、光軸Ｌｃ上を移動しない。
【０１１７】
次に、本実施例に係る各光学系を構成するレンズの構成及び数値データを示す。なお、単位はｍｍである。
【０１１８】
面データ
面番号                曲率半径    面間隔    屈折率    アッベ数
Ｒ         Ｄ       Ｎｄ       νｄ
1                  5369.456     0.60     2.00069     25.46 
2                    17.045     1.76 
3                    ∞        11.80     1.90366     31.32 
4                    ∞         0.10 
5  （非球面）        72.000     2.07     1.67790     50.72 
6  （非球面）       -24.186     0.10 
7                    14.465     2.30     1.49700     81.54 
8                   -42.356     Ｄ８
9                   -95.178     0.45     1.88300     40.76 
10  （非球面）         5.749     1.60 
11                    -8.722     0.45     1.80400     46.57 
12                  -121.683     0.20 
13                    18.692     1.25     1.92286     20.88 
14                   -17.876     0.45     1.80400     46.57 
15                   463.728    Ｄ１５
16  （非球面）        10.693     1.24     1.60311     60.64 
17  （非球面）       -24.299     1.00 
18（明るさ絞り）      ∞        Ｄ１８
19  （非球面）        20.337     2.05     1.49700     81.54 
20                    -7.324     0.45     1.78470     26.29 
21                   -10.662    Ｄ２１
22                   -67.071     0.45     2.00069     25.46 
23                     6.118     1.17     1.49700     81.54 
24                    37.707     6.37 
25                    15.604     2.68     1.78472     25.68 
26                    -6.937     0.50     2.00069     25.46 
27                   -26.754     2.80 
28                    ∞         1.33     1.51680     64.20 
29                    ∞         0.60 
30  （撮像面）        ∞
【０１１９】
非球面データ
面番号  曲率半径  円錐係数                       非球面係数                    
Ｒ        Ｋ          Ａ4          Ａ6          Ａ8          Ａ10
5     72.000    0.000  -6.14888e-05   3.65016e-07  -1.63028e-08   2.00591e-10
6    -24.186    0.000  -3.49156e-05   3.34102e-07  -1.54522e-08   1.78951e-10
10      5.749    0.000  -5.85404e-05  -4.96354e-07   1.08413e-07   2.44260e-08
16     10.693   -0.189  -1.56614e-04  -4.22205e-06   2.46776e-07  -7.06189e-09
17    -24.299  -10.039  -6.78973e-05  -1.94661e-06   1.58750e-07  -4.95000e-09
19     20.337   -3.378  -3.10981e-04   3.98139e-06  -2.54067e-07   7.33889e-09
【０１２０】
各種データ
ズーム比    6.73
広角      中間      望遠
焦点距離        5.13     12.00     34.51
Ｆナンバー       3.51      3.77      6.00
画角         82.65     33.92     11.98
像高          3.84      3.84      3.84
レンズ全長      64.55     64.55     64.54
バックフォーカス    4.28      4.28      4.27
Ｄ８          0.10      6.69     12.43
Ｄ１５        12.93      6.34      0.60
Ｄ１８         5.63      2.80      1.93
Ｄ２１         2.56      5.39      6.26
【０１２１】
ズームレンズ群データ
群   始面   焦点距離
1     1      14.79
2     9      -5.13
3    16      12.48
4    19      17.29
5    22    -105.00
【０１２２】
上記条件式に係るデータ
条件式（１）  ０．９２  ＜  Ｄ5／ｆw  ＜  ２．０  ：  １．２４
条件式（２）  ０．０１  ＜  ｜ｆl51／ｆl52｜  ＜  ０．９５  ：  ０．２２
条件式（３）  ５  ＜  ｜ｆG5／ｆw｜  ＜  ８０  ：  ２０．４７
条件式（４）  ３０  ＜  νd52  −  νd51  ＜  ７０  ：  ５６．０８
条件式（５）  ３．０  ＜  ｆt／ｆw  ＜  １０．０  ：  ６．７３
条件式（６）  １  ＜  Ｄp／ｉｈw  ＜  ５  ：  ３．０７
条件式（７）  １  ＜  ｅｎｐ（ｗ）／ｉｈw  ＜  ５  ：  ２．５３
条件式（８）  ０．５  ＜  ｆw／ｉｈw  ＜  ５  ：  １．３４
条件式（９）  １．９５  ＜  ｎd1  ＜  ２．１  ：  ２．００
条件式（１０）  １８  ＜  νd1  ＜  ３０  ：  ２５，４６
【０１２３】
次に、本実施例において、電気的に歪曲収差を補正した場合の数値データを示す。なお、以下に記載していないデータは、上記の電気的に歪曲収差を補正していない場合のデータと同一の値である。また、単位はｍｍである。
【０１２４】
電気的に歪曲収差の補正を行った場合の各種データ
ズーム比    6.73
広角      中間      望遠
焦点距離        5.13     12.00     34.51
Ｆナンバー       3.51      3.77      6.00
画角         78.48     33.92     11.98
像高          3.63      3.84      3.84
【０１２５】
電気的に歪曲収差の補正を行った場合の上記条件式に係るデータ
条件式（１）  ０．９２  ＜  Ｄ5／ｆw  ＜  ２．０  ：  １．２４
条件式（２）  ０．０１  ＜  ｜ｆl51／ｆl52｜  ＜  ０．９５  ：  ０．２２
条件式（３）  ５  ＜  ｜ｆG5／ｆw｜  ＜  ８０  ：  ２０．４７
条件式（４）  ３０  ＜  νd52  −  νd51  ＜  ７０  ：  ５６．０８
条件式（５）  ３．０  ＜  ｆt／ｆw  ＜  １０．０  ：  ６．７３
条件式（６）  １  ＜  Ｄp／ｉｈw  ＜  ５  ：  ３．２５
条件式（７）  １  ＜  ｅｎｐ（ｗ）／ｉｈw  ＜  ５  ：  ２．６７
条件式（８）  ０．５  ＜  ｆw／ｉｈw  ＜  ５  ：  １．４１
条件式（９）  １．９５  ＜  ｎd1  ＜  ２．１  ：  ２．００
条件式（１０）  １８  ＜  νd1  ＜  ３０  ：  ２５．４６
【実施例３】
【０１２６】
図５は、本実施例に係るズームレンズの無限遠物点合焦時の光学構成を示す光軸に沿う断面図であり、（ａ）は広角端、（ｂ）は中間、（ｃ）は望遠端における状態をそれぞれ示している。図６は、図５に示したズームレンズの無限遠物点合焦時における球面収差，非点収差，歪曲収差，倍率色収差を示す図であり、（ａ）は広角端、（ｂ）は中間、（ｃ）は望遠端における状態をそれぞれ示している。
【０１２７】
まず、図５を用いて、本実施例のズームレンズの光学構成を説明する。本実施例のズームレンズは、光軸Ｌｃ上に、物体側から順に、正のパワーを持つ第１レンズ群Ｇ1と、負のパワーを持つ第２レンズ群Ｇ2と、正のパワーを持つ第３レンズ群Ｇ3と、正のパワーを持つ第４レンズ群Ｇ4と、負のパワーを持つ第５レンズ群Ｇ5とにより構成されている。また、第３レンズ群Ｇ3と第４レンズ群Ｇ4との間には、第３レンズ群Ｇ3と一体的に構成された明るさ絞りＳが配置されている。なお、第５レンズ群Ｇ5の像側には、物体側から順に、ＣＣＤカバーガラスＣＧ、撮像面ＩＭを持つＣＣＤが配置されている。
【０１２８】
第１レンズ群Ｇ1は、物体側から順に、両凹レンズであり負のパワーを持つ第１レンズＬ11と、光路を変更する反射部材であるプリズムＰと、両面が非球面の両凸レンズであり正のパワーを持つ第２レンズＬ12と、両凸レンズであり正のパワーを持つ第３レンズＬ13とにより構成されている。
【０１２９】
第２レンズ群Ｇ2は、物体側から順に、像側の面が非球面の両凹レンズであり負のパワーを持つ第１レンズＬ21と、像側に凸面を向けたメニスカスレンズであり負のパワーを持つ第２レンズＬ22と、両凸レンズであり正のパワーを持つ第３レンズＬ23と両凹レンズであり負のパワーを持つ第４レンズＬ24との接合レンズとにより構成されている。
【０１３０】
第３レンズ群Ｇ3は、両面が非球面の両凸レンズであり正のパワーを持つレンズＬ3のみにより構成されている。
【０１３１】
第４レンズ群Ｇ4は、物体側の面が非球面の両凸レンズであり正のパワーを持つ第４レンズＬ41と像側に凸面を向けたメニスカスレンズであり負のパワーを持つ第２レンズＬ42との接合レンズのみにより構成されている。
【０１３２】
前記第５レンズ群は、物体側から順に、両凹レンズであり負のパワーを持つ第１レンズＬ51と物体側に凸面を向けたメニスカスレンズであり正のパワーを持つ第２レンズＬ52とからなる第１接合レンズと、両凸レンズであり正のパワーを持つ第３レンズＬ53と像側に凸面を向けたメニスカスレンズであり負のパワーを持つ第４レンズＬ54とからなる第２接合レンズとにより構成されている。
【０１３３】
また、広角端から望遠端に変倍する際に、第１レンズ群Ｇ1は、光軸Ｌｃ上を移動しない。第２レンズ群Ｇ2は、第１レンズ群Ｇ1との間隔を広げつつ光軸Ｌｃ上を像側に移動する。第３レンズ群Ｇ３は、光軸Ｌｃ上を移動しない。第４レンズ群Ｇ4は、第３レンズ群Ｇ3との間隔を狭めつつ光軸Ｌｃ上を物体側に移動する。第５レンズ群Ｇ5は、光軸Ｌｃ上を移動しない。また、明るさ絞りＳは、第３レンズ群Ｇ3と一体的に構成されているため、光軸Ｌｃ上を移動しない。
【０１３４】
次に、本実施例に係る各光学系を構成するレンズの構成及び数値データを示す。なお、単位はｍｍである。
【０１３５】
面データ
面番号                曲率半径    面間隔    屈折率    アッベ数
Ｒ         Ｄ       Ｎｄ       νｄ
1                  -991.738     0.60     2.00069     25.46 
2                    17.243     1.74 
3                    ∞        11.80     1.90366     31.32 
4                    ∞         0.10 
5  （非球面）        62.823     2.07     1.67790     50.72 
6  （非球面）       -24.539     0.10 
7                    14.409     2.30     1.49700     81.54 
8                   -45.347     Ｄ８
9                  -111.913     0.45     1.88300     40.76 
10  （非球面）         5.729     1.81 
11                    -9.245     0.45     1.80400     46.57 
12                  -251.917     0.20 
13                    17.942     1.25     1.92286     20.88 
14                   -18.696     0.45     1.80400     46.57 
15                   131.975    Ｄ１５
16  （非球面）        10.572     1.40     1.60311     60.64 
17  （非球面）       -22.987     1.00 
18（明るさ絞り）      ∞        Ｄ１８
19  （非球面）        21.793     1.91     1.49700     81.54 
20                    -7.366     0.45     1.78470     26.29 
21                   -10.835    Ｄ２１
22                   -57.221     0.45     2.00069     25.46 
23                     6.123     1.21     1.49700     81.54 
24                    53.940     6.40 
25                    15.725     2.65     1.78472     25.68 
26                    -6.937     0.50     2.00069     25.46 
27                   -27.757     2.80 
28                    ∞         1.33     1.51680     64.20 
29                    ∞         0.60 
30  （撮像面）        ∞
【０１３６】
非球面データ
面番号  曲率半径  円錐係数                      非球面係数                    
Ｒ        Ｋ        Ａ4           Ａ6           Ａ8          Ａ10
5      62.823   0.000  -6.33452e-05   4.54060e-07  -1.59427e-08   1.67425e-10
6     -24.539   0.000  -3.69145e-05   3.88632e-07  -1.44282e-08   1.42753e-10
10       5.729   0.000  -6.00540e-05  -2.06499e-06   2.20941e-07   1.36022e-08
16      10.572  -0.853  -9.93227e-05      
17     -22.987  -1.075   1.76788e-05      
19      21.793  -2.302  -2.97374e-04   1.05618e-06  -2.54485e-08   2.45076e-10
【０１３７】
各種データ
ズーム比    6.73
広角      中間      望遠
焦点距離        5.13     12.00     34.51
Ｆナンバー       3.51      3.78      6.00
画角         82.67     34.00     12.00
像高          3.84      3.84      3.84
レンズ全長      64.55     64.55     64.55
バックフォーカス    4.28      4.28      4.28
Ｄ８          0.10      6.65     12.33
Ｄ１５        12.83      6.28      0.60
Ｄ１８         5.53      2.56      1.50
Ｄ２１         2.53      5.49      6.55
【０１３８】
ズームレンズ群データ
群   始面    焦点距離
1     1      14.77
2     9      -5.06
3    16      12.20
4    19      18.02
5    22     -90.00
【０１３９】
上記条件式に係るデータ
条件式（１）  ０．９２  ＜  Ｄ5／ｆw  ＜  ２．０  ：  １．２５
条件式（２）  ０．０１  ＜  ｜ｆl51／ｆl52｜  ＜  ０．９５  ：  ０．２１
条件式（３）  ５  ＜  ｜ｆG5／ｆw｜  ＜  ８０  ：  １７．５４
条件式（４）  ３０  ＜  νd52  −  νd51  ＜  ７０  ：  ５６．０８
条件式（５）  ３．０  ＜  ｆt／ｆw  ＜  １０．０  ：  ６．７３
条件式（６）  １  ＜  Ｄp／ｉｈw  ＜  ５  ：  ３．０７
条件式（７）  １  ＜  ｅｎｐ（ｗ）／ｉｈw  ＜  ５  ：  ２．５３
条件式（８）  ０．５  ＜  ｆw／ｉｈw  ＜  ５  ：  １．３４
条件式（９）  １．９５  ＜  ｎd1  ＜  ２．１  ：  ２．００
条件式（１０）  １８  ＜  νd1  ＜  ３０  ：  ２５．４６
【０１４０】
次に、本実施例において、電気的に歪曲収差を補正した場合の数値データを示す。なお、以下に記載していないデータは、上記の電気的に歪曲収差を補正していない場合のデータと同一の値である。また、単位はｍｍである。
【０１４１】
電気的に歪曲収差の補正を行った場合の各種データ
ズーム比    6.73
広角      中間      望遠
焦点距離        5.13     12.00     34.51
Ｆナンバー       3.51      3.78      6.00
画角         78.49     34.00     12.00
像高          3.63      3.84      3.84
【０１４２】
電気的に歪曲収差の補正を行った場合の上記条件式に係るデータ
条件式（１）  ０．９２  ＜  Ｄ5／ｆw  ＜  ２．０  ：  １．２５
条件式（２）  ０．０１  ＜  ｜ｆl51／ｆl52｜  ＜  ０．９５  ：  ０．２１
条件式（３）  ５  ＜  ｜ｆG5／ｆw｜  ＜  ８０  ：  １７．５４
条件式（４）  ３０  ＜  νd52  −  νd51  ＜  ７０  ：  ５６．０８
条件式（５）  ３．０  ＜  ｆt／ｆw  ＜  １０．０  ：  ６．７３
条件式（６）  １  ＜  Ｄp／ｉｈw  ＜  ５  ：  ３．２５
条件式（７）  １  ＜  ｅｎｐ（ｗ）／ｉｈw  ＜  ５  ：  ２．６７
条件式（８）  ０．５  ＜  ｆw／ｉｈw  ＜  ５  ：  １．４１
条件式（９）  １．９５  ＜  ｎd1  ＜  ２．１  ：  ２．００
条件式（１０）  １８  ＜  νd1  ＜  ３０  ：  ２５．４６
【実施例４】
【０１４３】
図７は、本実施例に係るズームレンズの無限遠物点合焦時の光学構成を示す光軸に沿う断面図であり、（ａ）は広角端、（ｂ）は中間、（ｃ）は望遠端における状態をそれぞれ示している。図８は、図７に示したズームレンズの無限遠物点合焦時における球面収差，非点収差，歪曲収差，倍率色収差を示す図であり、（ａ）は広角端、（ｂ）は中間、（ｃ）は望遠端における状態をそれぞれ示している。
【０１４４】
まず、図７を用いて、本実施例のズームレンズの光学構成を説明する。本実施例のズームレンズは、光軸Ｌｃ上に、物体側から順に、正のパワーを持つ第１レンズ群Ｇ1と、負のパワーを持つ第２レンズ群Ｇ2と、正のパワーを持つ第３レンズ群Ｇ3と、正のパワーを持つ第４レンズ群Ｇ4と、負のパワーを持つ第５レンズ群Ｇ5とにより構成されている。また、第３レンズ群Ｇ3と第４レンズ群Ｇ4との間には、第３レンズ群Ｇ3と一体的に構成された明るさ絞りＳが配置されている。なお、第５レンズ群Ｇ5の像側には、物体側から順に、ＣＣＤカバーガラスＣＧ、撮像面ＩＭを持つＣＣＤが配置されている。
【０１４５】
第１レンズ群Ｇ1は、物体側から順に、像側に凹面を向けた平凹レンズであり負のパワーを持つ第１レンズＬ11と、光路を変更する反射部材であるプリズムＰと、両面が非球面の両凸レンズであり正のパワーを持つ第２レンズＬ12と、両凸レンズであり正のパワーを持つ第３レンズＬ13とにより構成されている。
【０１４６】
第２レンズ群Ｇ2は、物体側から順に、像側の面が非球面の両凹レンズであり負のパワーを持つ第１レンズＬ21と、像側に凸面を向けたメニスカスレンズであり負のパワーを持つ第２レンズＬ22と、両凸レンズであり正のパワーを持つ第３レンズＬ23と両凹レンズであり負のパワーを持つ第４レンズＬ24との接合レンズとにより構成されている。
【０１４７】
第３レンズ群Ｇ3は、両面が非球面の両凸レンズであり正のパワーを持つレンズＬ3のみにより構成されている。
【０１４８】
第４レンズ群Ｇ4は、物体側の面が非球面の両凸レンズであり正のパワーを持つ第４レンズＬ41と像側に凸面を向けたメニスカスレンズであり負のパワーを持つ第２レンズＬ42との接合レンズのみにより構成されている。
【０１４９】
前記第５レンズ群は、物体側から順に、両凹レンズであり負のパワーを持つ第１レンズＬ51と物体側に凸面を向けたメニスカスレンズであり正のパワーを持つ第２レンズＬ52とからなる第１接合レンズと、両凸レンズであり正のパワーを持つ第３レンズＬ53と像側に凸面を向けたメニスカスレンズであり負のパワーを持つ第４レンズＬ54とからなる第２接合レンズとにより構成されている。
【０１５０】
また、広角端から望遠端に変倍する際に、第１レンズ群Ｇ1は、光軸Ｌｃ上を移動しない。第２レンズ群Ｇ2は、第１レンズ群Ｇ1との間隔を広げつつ光軸Ｌｃ上を像側に移動する。第３レンズ群Ｇ３は、光軸Ｌｃ上を移動しない。第４レンズ群Ｇ4は、第３レンズ群Ｇ3との間隔を狭めつつ光軸Ｌｃ上を物体側に移動する。第５レンズ群Ｇ5は、光軸Ｌｃ上を移動しない。また、明るさ絞りＳは、第３レンズ群Ｇ3と一体的に構成されているため、光軸Ｌｃ上を移動しない。
【０１５１】
次に、本実施例に係る各光学系を構成するレンズの構成及び数値データを示す。なお、単位はｍｍである。
【０１５２】
面データ
面番号                曲率半径    面間隔    屈折率    アッベ数
Ｒ         Ｄ       Ｎｄ       νｄ
1                    ∞         0.60     2.00069     25.46 
2                    17.035     1.76 
3                    ∞        11.80     1.90366     31.32 
4                    ∞         0.10 
5  （非球面）        64.623     2.07     1.67790     50.72 
6  （非球面）       -24.577     0.10 
7                    14.391     2.30     1.49700     81.54 
8                   -44.777     Ｄ８
9                   -77.255     0.45     1.88300     40.76 
10  （非球面）         5.738     1.72 
11                    -9.348     0.45     1.80400     46.57 
12                  -175.984     0.20 
13                    17.730     1.24     1.92286     20.88 
14                   -19.057     0.45     1.80400     46.57 
15                   128.512    Ｄ１５
16  （非球面）        10.592     1.40     1.60311     60.64 
17  （非球面）       -23.045     1.00 
18（明るさ絞り）      ∞        Ｄ１８
19  （非球面）        21.793     1.91     1.49700     81.54 
20                    -7.362     0.45     1.78470     26.29 
21                   -10.825    Ｄ２１
22                   -55.596     0.45     2.00069     25.46 
23                     6.123     1.21     1.49700     81.54 
24                    54.022     6.38 
25                    15.716     2.67     1.78472     25.68 
26                    -6.937     0.50     2.00069     25.46 
27                   -26.941     2.79 
28                    ∞         1.33     1.51680     64.20 
29                    ∞         0.60 
30  （撮像面）        ∞
【０１５３】
非球面データ
面番号  曲率半径  円錐係数                      非球面係数                    
Ｒ        Ｋ          Ａ4          Ａ6          Ａ8          Ａ10
5     64.623    0.000  -6.54240e-05   4.67661e-07  -1.56883e-08   1.61830e-10
6    -24.577    0.000  -3.90885e-05   3.97731e-07  -1.41284e-08   1.37240e-10
10      5.738    0.000  -7.58900e-05  -3.43849e-06   2.95940e-07   6.54485e-09
16     10.592   -0.944  -8.98657e-05      
17    -23.045   -1.013   1.76010e-05      
19     21.793   -2.287  -2.97106e-04   1.16341e-06  -3.58296e-08   6.88790e-10
【０１５４】
各種データ
ズーム比    6.73
広角      中間      望遠
焦点距離        5.13     12.00     34.51
Ｆナンバー       3.51      3.78      6.00
画角         82.65     33.99     12.00
像高          3.84      3.84      3.84
レンズ全長      64.55     64.55     64.55
バックフォーカス    4.26      4.26      4.26
Ｄ８          0.10      6.66     12.34
Ｄ１５        12.84      6.28      0.60
Ｄ１８         5.56      2.58      1.50
Ｄ２１         2.56      5.54      6.62
【０１５５】
ズームレンズ群データ
群   始面   焦点距離
1     1      14.78
2     9      -5.07
3    16      12.22
4    19      18.01
5    22    -105.60
【０１５６】
上記条件式に係るデータ
条件式（１）  ０．９２  ＜  Ｄ5／ｆw  ＜  ２．０  ：  １．２４
条件式（２）  ０．０１  ＜  ｜ｆl51／ｆl52｜  ＜  ０．９５  ：  ０．２１
条件式（３）  ５  ＜  ｜ｆG5／ｆw｜  ＜  ８０  ：  ２０．５９
条件式（４）  ３０  ＜  νd52  −  νd51  ＜  ７０  ：  ５６．０８
条件式（５）  ３．０  ＜  ｆt／ｆw  ＜  １０．０  ：  ６．７３
条件式（６）  １  ＜  Ｄp／ｉｈw  ＜  ５  ：  ３．０７
条件式（７）  １  ＜  ｅｎｐ（ｗ）／ｉｈw  ＜  ５  ：  ２．５３
条件式（８）  ０．５  ＜  ｆw／ｉｈw  ＜  ５  ：  １．３４
条件式（９）  １．９５  ＜  ｎd1  ＜  ２．１  ：  ２．００
条件式（１０）  １８  ＜  νd1  ＜  ３０  ：  ２５．４６
【０１５７】
次に、本実施例において、電気的に歪曲収差を補正した場合の数値データを示す。なお、以下に記載していないデータは、上記の電気的に歪曲収差を補正していない場合のデータと同一の値である。また、単位はｍｍである。
【０１５８】
電気的に歪曲収差の補正を行った場合の各種データ
ズーム比    6.73
広角      中間      望遠
焦点距離        5.13     12.00     34.51
Ｆナンバー       3.51      3.78      6.00
画角         78.49     33.99     12.00
像高          3.63      3.84      3.84
【０１５９】
電気的に歪曲収差の補正を行った場合の上記条件式に係るデータ
条件式（１）  ０．９２  ＜  Ｄ5／ｆw  ＜  ２．０  ：  １．２４
条件式（２）  ０．０１  ＜  ｜ｆl51／ｆl52｜  ＜  ０．９５  ：  ０．２１
条件式（３）  ５  ＜  ｜ｆG5／ｆw｜  ＜  ８０  ：  ２０．５９
条件式（４）  ３０  ＜  νd52  −  νd51  ＜  ７０  ：  ５６．０８
条件式（５）  ３．０  ＜  ｆt／ｆw  ＜  １０．０  ：  ６．７３
条件式（６）  １  ＜  Ｄp／ｉｈw  ＜  ５  ：  ３．２５
条件式（７）  １  ＜  ｅｎｐ（ｗ）／ｉｈw  ＜  ５  ：  ２．６７
条件式（８）  ０．５  ＜  ｆw／ｉｈw  ＜  ５  ：  １．４１
条件式（９）  １．９５  ＜  ｎd1  ＜  ２．１  ：  ２．００
条件式（１０）  １８  ＜  νd1  ＜  ３０  ：  ２５．４６
【実施例５】
【０１６０】
図９は、本実施例に係るズームレンズの無限遠物点合焦時の光学構成を示す光軸に沿う断面図であり、（ａ）は広角端、（ｂ）は中間、（ｃ）は望遠端における状態をそれぞれ示している。図１０は、図９に示したズームレンズの無限遠物点合焦時における球面収差，非点収差，歪曲収差，倍率色収差を示す図であり、（ａ）は広角端、（ｂ）は中間、（ｃ）は望遠端における状態をそれぞれ示している。
【０１６１】
まず、図１を用いて、本実施例のズームレンズの光学構成を説明する。本実施例のズームレンズは、光軸Ｌｃ上に、物体側から順に、正のパワーを持つ第１レンズ群Ｇ1と、負のパワーを持つ第２レンズ群Ｇ2と、正のパワーを持つ第３レンズ群Ｇ3と、正のパワーを持つ第４レンズ群Ｇ4と、正のパワーを持つ第５レンズ群Ｇ5とにより構成されている。また、第３レンズ群Ｇ3と第４レンズ群Ｇ4との間には、第３レンズ群Ｇ3と一体的に構成された明るさ絞りＳが配置されている。なお、第５レンズ群Ｇ5の像側には、物体側から順に、ＣＣＤカバーガラスＣＧ、撮像面ＩＭを持つＣＣＤが配置されている。
【０１６２】
第１レンズ群Ｇ1は、物体側から順に、像側の面が非球面の物体側に凸面を向けたメニスカスレンズであり負のパワーを持つ第１レンズＬ11と、光路を変更する反射部材であるプリズムＰと、両面が非球面の両凸レンズであり正のパワーを持つ第２レンズＬ12と、両面が非球面の両凸レンズであり正のパワーを持つ第３レンズＬ13とにより構成されている。
【０１６３】
第２レンズ群Ｇ2は、物体側から順に、像側の面が非球面の両凹レンズであり負のパワーを持つ第１レンズＬ21と、両凹レンズであり負のパワーを持つ第２レンズＬ22と、両凸レンズであり正のパワーを持つ第３レンズＬ23と両凹レンズであり負のパワーを持つ第４レンズＬ24との接合レンズとにより構成されている。
【０１６４】
第３レンズ群Ｇ3は、両面が非球面の両凸レンズであり正のパワーを持つレンズＬ3のみにより構成されている。
【０１６５】
第４レンズ群Ｇ4は、物体側の面が非球面の両凸レンズであり正のパワーを持つ第４レンズＬ41と像側に凸面を向けたメニスカスレンズであり負のパワーを持つ第２レンズＬ42との接合レンズのみにより構成されている。
【０１６６】
前記第５レンズ群は、物体側から順に、両凸レンズであり正のパワーを持つ第１レンズＬ51と両凹レンズであり負のパワーを持つ第２レンズＬ52とからなる第１接合レンズと、物体側に凸面を向けたメニスカスレンズであり負のパワーを持つ第３レンズＬ53と両凸レンズであり正のパワーを持つ第４レンズＬ54とからなる第２接合レンズとにより構成されている。
【０１６７】
また、広角端から望遠端に変倍する際に、第１レンズ群Ｇ1は、光軸Ｌｃ上を移動しない。第２レンズ群Ｇ2は、第１レンズ群Ｇ1との間隔を広げつつ光軸Ｌｃ上を像側に移動する。第３レンズ群Ｇ３は、光軸Ｌｃ上を移動しない。第４レンズ群Ｇ4は、第３レンズ群Ｇ3との間隔を狭めつつ光軸Ｌｃ上を物体側に移動する。第５レンズ群Ｇ5は、光軸Ｌｃ上を移動しない。また、明るさ絞りＳは、第３レンズ群Ｇ3と一体的に構成されているため、光軸Ｌｃ上を移動しない。
【０１６８】
次に、本実施例に係る各光学系を構成するレンズの構成及び数値データを示す。なお、単位はｍｍである。
【０１６９】
面データ
面番号                曲率半径    面間隔    屈折率    アッベ数
Ｒ         Ｄ       Ｎｄ       νｄ
1                   152.112     0.60     2.00170     20.64 
2  （非球面）        15.081     1.85 
3                    ∞        11.80     1.90366     31.32 
4                    ∞         0.10 
5  （非球面）        42.355     2.07     1.76200     40.10 
6  （非球面）       -32.117     0.10 
7  （非球面）        11.374     2.30     1.49700     81.54 
8  （非球面）    -10285.674     Ｄ８
9                   -64.695     0.45     1.88300     40.76 
10  （非球面）         5.066     1.50 
11                   -12.934     0.45     1.80400     46.57 
12                    36.851     0.20 
13                    11.316     1.27     1.92286     20.88 
14                   -40.397     0.45     1.80400     46.57 
15                    48.871    Ｄ１５
16  （非球面）         8.941     1.24     1.65844     50.88 
17  （非球面）       -74.130     1.00 
18（明るさ絞り）      ∞        Ｄ１８
19  （非球面）        62.591     2.44     1.49700     81.54 
20                    -5.184     0.60     1.78470     26.29 
21                    -7.470    Ｄ２１
22                    51.227     1.50     1.49700     81.54 
23                    -6.118     0.45     2.00069     25.46 
24                    40.742     5.65 
25                    67.723     0.50     2.00069     25.46 
26                     6.937     3.62     1.78472     25.68 
27                   -11.005     2.80 
28                    ∞         1.33     1.51680     64.20 
29                    ∞         0.60 
30  （撮像面）        ∞
【０１７０】
非球面データ
面番号  曲率半径  円錐係数                       非球面係数                    
Ｒ        Ｋ          Ａ4          Ａ6          Ａ8          Ａ10
2     15.081    -0.679  -1.86496e-05  -3.26791e-07   6.00949e-09  -4.64973e-11  5     42.355     0.000  -4.30887e-05   4.91008e-07  -1.63927e-08   1.36276e-10  6    -32.117     0.000  -1.80835e-05   5.21796e-07  -1.62115e-08   1.18137e-10  7     11.374     0.000  -4.56080e-06  -7.03282e-08  -2.76689e-09  
8 -10285.671 50591.905  -1.12135e-06  -6.36528e-08   1.09673e-09  
10      5.066     0.000   5.41384e-05  -1.57466e-05   1.94714e-06  -9.85561e-08
16      8.941     0.604  -2.25117e-04  -4.51241e-06   2.29179e-07  -6.15386e-09
17    -74.130  -131.237   2.96780e-05  -7.57056e-07   1.97261e-07  -4.30449e-09
19     62.591  -211.553  -4.84710e-04  -1.07258e-06  -2.62538e-07   1.40976e-08
【０１７１】
各種データ
ズーム比    6.73
広角      中間      望遠
焦点距離        5.13     12.00     34.51
Ｆナンバー       3.51      3.75      6.00
画角         78.77     34.15     12.25
像高          3.84      3.84      3.84
レンズ全長      64.55     64.55     64.55
バックフォーカス    4.27      4.27      4.27
Ｄ８          0.10      6.43     11.89
Ｄ１５        12.40      6.07      0.60
Ｄ１８         5.76      2.66      2.00
Ｄ２１         1.88      4.98      5.63
【０１７２】
ズームレンズ群データ
群   始面   焦点距離
1     1      14.33
2     9      -4.90
3    16      12.19
4    19      17.09
5    22     139.28
【０１７３】
上記条件式に係るデータ
条件式（１）  ０．９２  ＜  Ｄ5／ｆw  ＜  ２．０  ：  １．１０
条件式（２）  ０．０１  ＜  ｜ｆl51／ｆl52｜  ＜  ０．９５  ：  ０．５９
条件式（３）  ５  ＜  ｜ｆG5／ｆw｜  ＜  ８０  ：  ２７．１４
条件式（４）  ３０  ＜  νd52  −  νd51  ＜  ７０  ：  ５６．０８
条件式（５）  ３．０  ＜  ｆt／ｆw  ＜  １０．０  ：  ６．７３
条件式（６）  １  ＜  Ｄp／ｉｈw  ＜  ５  ：  ３．０７
条件式（７）  １  ＜  ｅｎｐ（ｗ）／ｉｈw  ＜  ５  ：  ２．５３
条件式（８）  ０．５  ＜  ｆw／ｉｈw  ＜  ５  ：  １．３４
条件式（９）  １．９５  ＜  ｎd1  ＜  ２．１  ：  ２．００
条件式（１０）  １８  ＜  νd1  ＜  ３０  ：  ２５．４６
【０１７４】
次に、本実施例において、電気的に歪曲収差を補正した場合の数値データを示す。なお、以下に記載していないデータは、上記の電気的に歪曲収差を補正していない場合のデータと同一の値である。また、単位はｍｍである。
【０１７５】
電気的に歪曲収差の補正を行った場合の各種データ
ズーム比    6.73
広角      中間      望遠
焦点距離        5.13     12.00     34.51
Ｆナンバー       3.51      3.75      6.00
画角         77.27     34.15     12.25
像高          3.75      3.84      3.84
【０１７６】
電気的に歪曲収差の補正を行った場合の上記条件式に係るデータ
条件式（１）  ０．９２  ＜  Ｄ5／ｆw  ＜  ２．０  ：  １．１０
条件式（２）  ０．０１  ＜  ｜ｆl51／ｆl52｜  ＜  ０．９５  ：  ０．５９
条件式（３）  ５  ＜  ｜ｆG5／ｆw｜  ＜  ８０  ：  ２７．１４
条件式（４）  ３０  ＜  νd52  −  νd51  ＜  ７０  ：  ５６．０８
条件式（５）  ３．０  ＜  ｆt／ｆw  ＜  １０．０  ：  ６．７３
条件式（６）  １  ＜  Ｄp／ｉｈw  ＜  ５  ：  ３．１５
条件式（７）  １  ＜  ｅｎｐ（ｗ）／ｉｈw  ＜  ５  ：  ２．５９
条件式（８）  ０．５  ＜  ｆw／ｉｈw  ＜  ５  ：  １．３７
条件式（９）  １．９５  ＜  ｎd1  ＜  ２．１  ：  ２．００
条件式（１０）  １８  ＜  νd1  ＜  ３０  ：  ２５．４６
【０１７７】
なお、上記各実施例において、ズームレンズは、５つのレンズ群からなる構成となっているが、本発明はそのような構成に限定されず、第５レンズ群の像側にさらにレンズ群を配置するようにしても良い。
【０１７８】
また、上記各実施例において、反射部材はプリズムにより構成されているが、本発明はそのような構成に限定されず、ミラー等を用いて構成しても良い。
【０１７９】
また、本発明のズームレンズは、以下のように構成しても良い。
【０１８０】
本発明のズームレンズの場合は、ピント調節を行うためのフォーカシングは第３レンズ群で行うことが望ましい。そのような位置に配置されているレンズ群はレンズ重量が軽量であるため、フォーカシングの際にモータにかかる負荷が少ない。このように、フォーカシングは第３レンズ群で行うことが望ましいが、他のレンズ群で行っても良い。また、複数のレンズ群で行っても良い。また、そのフォーカシングは、ズームレンズ全体を移動させて行っても良いし、一つのレンズ群の一部のレンズを移動させて行っても良い。
【０１８１】
また、本発明のズームレンズは、画像周辺部の明るさのかげり（シェーディング）を、ＣＣＤのマイクロレンズをシフトすることにより軽減しても良い。例えば、各像高における光線の入射角に合わせてＣＣＤのマイクロレンズの設計を変えても良い。また、画像処理により画像周辺部の明るさの低下量を補正しても良い。
【０１８２】
また、本発明のズームレンズは、ゴースト・フレア等の不要光をカットするために、明るさ絞り以外にフレア絞りを配置しても良い。なお、フレア絞りの配置位置は、第１レンズ群の物体側，第１レンズ群と第２レンズ群との間，第２レンズ群と第３レンズ群との間，第３レンズ群と第４レンズ群との間，第４レンズ群と撮像面の間のいずれの位置でも良い。また、フレア絞りは、枠部材を用いて構成しても良いし、別の部材を用いて構成しても良い。さらに、フレア絞りは、光学部材に直接印刷で構成しても良いし、塗料や接着シール等を用いて構成しても良い。また、フレア絞りの形状は、円形，楕円形，矩形，多角形，関数曲線で囲まれる形等、いかなる形状でもかまわない。また、フレア絞りは、有害光束をカットするだけでなく画面周辺のコマフレア等の光束をカットするようにしても良い。
【０１８３】
また、本発明のズームレンズの各レンズには、反射防止コートを施し、ゴースト・フレアを軽減するようにしても良い。その場合、さらに、効果的にゴースト・フレアを軽減するためには、施す反射防止コートを、マルチコートとすることが望ましい。また、赤外カットコートを、ローパスフィルターにではなく、各レンズのレンズ面やカバーガラス等に施しても良い。
【０１８４】
なお、ゴースト・フレアの発生を防止するためにレンズの空気接触面に反射防止コートを施すことが一般的に行われている。一方、接合レンズの接合面における接着剤の屈折率は空気の屈折率よりも十分高い。そのため、接合レンズの接合面は、もともと単層コート並み、あるいはそれ以下の反射率となっていることが多いので、あえてコートを施すことは少ない。しかし、接合レンズの接合面にも積極的に反射防止コートを施せば、さらにゴースト・フレアを軽減することができ、さらに良好な画像を得ることができるようになる。
【０１８５】
特に、最近では、収差補正効果の得られる高屈折率硝材が普及し、カメラ用光学系にも多用されるようになってきているが、高屈折率硝材を接合レンズに用いた場合には、接合面での反射も無視できなくなってくる。そのため、そのような場合には、接合面にも反射防止コートを施しておくと効果的である。
【０１８６】
このような接合面に対する効果的なコーティング方法に関しては、特開平２−２７３０１号公報，特開２００１−３２４６７６号公報，特開２００５−９２１１５号公報，ＵＳＰ第７１１６４８２号明細書等に開示されている。使用するコート材としては、基材となるレンズの屈折率と接着剤の屈折率に応じて、比較的高屈折率の得られるＴａ2Ｏ5，ＴｉＯ2，Ｎｂ2Ｏ5，ＺｒＯ2，ＨｆＯ2，ＣｅＯ2，ＳｎＯ2，Ｉｎ2Ｏ3，ＺｎＯ，Ｙ2Ｏ3などのコート材、比較的低屈折率の得られるＭｇＦ2，ＳｉＯ2，Ａｌ2Ｏ3などのコート材等を適宜選択し、位相条件を満たすような膜厚に設定すれば良い。
【０１８７】
また、当然のことながら、レンズの空気接触面へのコートと同様、接合面へのコートをマルチコートとしても良い。その場合、各層のコート材や膜厚を適宜組み合わせることにより、さらなる反射率の低減や、反射率の分光特性・角度特性等のコントロール等を行うことが可能となる。
【０１８８】
さて、以上のような本発明のズームレンズを用いた撮像装置は、デジタルカメラやパソコン、携帯電話等に好適に用いることができる。以下に、その実施形態を例示する。
【０１８９】
まず、本発明の撮像装置を組み込んだデジタルカメラの一例を示す。図１１は、本発明の撮像装置を組み込んだデジタルカメラの外観を示す前方斜視図であり、図１２は、同後方斜視図である。図１３は、図１１及び図１２に示すデジタルカメラの内部構成を示す模式図である。図１４は、デジタルカメラ１の内部回路の主要部の構成ブロック図である。
【０１９０】
まず、図１１乃至図１３を用いて、デジタルカメラ１の構成を説明する。デジタルカメラ１は、前面に、撮影用開口部１０１，ファインダー用開口部１０２，フラッシュ発光部１０３が設けられている。また、上部に、シャッターボタン１０４が設けられている。また、背面に、液晶表示モニター１０５、情報入力部１０６が設けられている。また、デジタルカメラ１の内部には、撮像装置１０７，処理手段１０８，記録手段１０９，ファインダー光学系１１０を備えている。また、撮影用開口部１０１や、ファインダー用開口部１０２や、ファインダー光学系１１０の射出側であってデジタルカメラ１の背面に設けられている開口部１１１には、カバー部材１１２が配置されている。
【０１９１】
デジタルカメラ１に内蔵されている撮像装置１０７は、上記実施例において説明した本発明の撮像装置であり、物体側から順に、プリズムＰを有するズームレンズ１０７ａと，ＣＣＤカバーガラスＣＧと，ＣＣＤ１０７ｂとにより構成されている。そのため、撮影用開口部１０１から入射する被写体からの光の光路は、デジタルカメラ１の内部において、ズームレンズ１０７ａの有するプリズムＰにより、デジタルカメラ１の前面に対し垂直な方向から、平行な方向に変更される。
【０１９２】
また、ファインダー光学系１１０は、ファインダー用対物光学系１１０aと、正立プリズム１１０ｂと、接眼光学系１１０ｃとにより構成されている。ファインダー用開口部１０２から入射する被写体からの光は、ファインダー用対物光学系１１０aにより、像正立部材である正立プリズム１１０ｂに導かれ、物体像を視野枠１１０ｂ1内に正立正像として結像し、その後、その物体像が接眼光学系１１０ｃにより観察者の眼Ｅに導かれる。
【０１９３】
このデジタルカメラ１は、その上部に設けられているシャッターボタン１０４を押圧すると、それに連動して撮像装置１０７を介して画像情報の取得がなされるようになっている。撮像装置１０７により取得された画像情報は、処理手段１０８を介して記録手段１０９に記録される。また、記録された画像情報は、処理手段１０８によって取り出され、電子画像としてカメラ背面に設けられた液晶表示モニター１０５に表示することもできる。
【０１９４】
このように構成されたデジタルカメラ１は、画像情報の取得のために用いる光路をデジタルカメラ１の内部において変更しているため、光路を変更しないタイプのデジタルカメラと比較して、小型、特に、カメラの奥行き方向の寸法の小型化を実現することができる。また、画像の取得のために用いられる撮像装置１０７が、広画角、かつ、高変倍比を有しており、収差が良好で、明るく、フィルター等が配置できるバックフォーカスの大きなズームレンズ１０７ａを備えているため、高性能・低コスト化も実現することができる。
【０１９５】
なお、本例においては、画像情報の取得のために用いる光路を、デジタルカメラ１の横方向に変更しているが、縦方向に変更するように構成してもよい。
【０１９６】
また、本例においては、カバー部材１１２として平行平面板を配置しているが、開口部にカバー部材１１２を配置せずに、撮像装置１０７のズームレンズ１０７ａの最も物体側のレンズや、ファインダー用対物光学系１１０ａの最も物体側のレンズや、接眼光学系１１０ｃの最も像側のレンズを直接開口部に嵌め込むように配置してもよい。
【０１９７】
次に、図１４を用いてデジタルカメラ１内において行われる画像情報の処理について説明する。図１４に示すように、デジタルカメラ１は、その内部に、撮像装置１０７，処理手段１０８，記録手段１０９に加え、撮像駆動回路１１３を備えている。また、処理手段１０８は、制御部１０８ａと，ＣＤＳ／ＡＤＣ部１０８ｂと，一時記憶メモリ部１０８ｃと，設定情報記憶メモリ部１０８ｄと，画像処理部１０８ｅと，表示処理部１０８ｆと，記憶処理部１０８ｇとを有しており、それらは相互にデータの入力又は出力が可能なように接続されている。なお、処理手段が有している信号入出力ポートに接続されているパス１１４を介し、処理手段１０８と、液晶表示モニター１０５，情報入力部１０６，撮像装置１０７，記録手段１０９，撮像駆動回路１１３とは接続されている。
【０１９８】
撮像駆動回路１１３は、処理手段１０８の制御部１０８ａからの信号に基いて、撮像装置１０７のズームレンズ１０７ａやＣＣＤ１０７ｂを駆動制御する回路である。
【０１９９】
制御手段１０８の有する制御部１０８ａは、例えばＣＰＵ等からなる中央演算処理装置からなり、不図示のプログラムメモリを内蔵している。制御部１０８ａは、そのプログラムメモリに格納されているプログラムと、入力ボタンやスイッチからなる情報入力部１０６を介してカメラ使用者等から入力される指示命令とに従って、デジタルカメラ１全体を制御する回路である。
【０２００】
制御手段１０８の有するＣＤＳ／ＡＤＣ部１０８ｂは、撮像装置１０７のＣＣＤ１０７ｂから入力された電気信号を増幅するとともにアナログ／デジタル変換を行い、その増幅とデジタル変換を行っただけの映像生データ（ベイヤーデータ、以下ＲＡＷデータという）を一時記憶メモリ部１０８ｃに出力する回路である。
【０２０１】
制御手段１０８の有する一時記憶メモリ部１０８ｃは、例えばＳＤＲＡＭ等からなるバッファであり、ＣＤＳ／ＡＤＣ部１０８ｂから出力される上記ＲＡＷデータを一時的に記憶するメモリ装置である。
【０２０２】
制御手段１０８の有する設定情報記憶メモリ部１０８ｄは、不図示のＲＯＭ部とＲＡＭ部を有しており、ＲＯＭ部に予め格納されている各種の画質パラメータを読み出しを行うと共に、情報入力部１０６をカメラ使用者等が入力操作することによって、読み出された画質パラメータの中から選択された画質パラメータのＲＡＭ部に記憶させる回路である。
【０２０３】
制御手段１０８の有する画像処理部１０８ｅは、一時記憶メモリ部１０８ｃ又は記憶媒体部１０８ｈに記憶されているＲＡＷデータを読み出して、カメラ使用者等により指定された画質パラメータに基づいて歪曲収差補正を含む各種画像処理を電気的に行う回路である。
【０２０４】
表示処理部１０８ｆは、液晶表示モニター１０５と接続されており、その液晶表示モニター１０５に画像や操作メニューなどを表示する回路である。
【０２０５】
記録媒体部１０８ｇは、一時記憶メモリ部１０６ｃから転送されるＲＡＷデータや画像処理部１０８ｅで画像処理された画像データを記録・保持を行う装置の制御回路である。なお、本例では、記録・保持を行う装置は、デジタルカメラ１に内蔵されている記録手段１０９であるが、例えば、デジタルカメラ１の外部に取り付けることのできるフラッシュメモリ等の着脱自在な記録媒体でも良い。
【０２０６】
次に、本発明の撮像装置を組み込んだ情報処理装置であるパソコンの一例を示す。図１５は、本発明の撮像装置を組み込んだパソコンのカバーを開いた状態における前方斜視図であり、図１６は、同側面図である。図１７は、パソコンに内蔵されている本発明の撮像装置とその周辺の断面図である。
【０２０７】
図１５乃至図１７に示すように、パソコン２は、外部から操作者が情報を入力するためのキーボード２０１、情報を操作者に表示する液晶表示モニター２０２を備えている。なお、液晶表示モニター２０２の側方には、撮影用開口部２０３が形成されている。また、内部には操作者自身やその周辺の像を撮影するための撮像装置２０４、不図示の情報処理手段や記録手段を備えている。
【０２０８】
パソコン２に内蔵されている撮像装置２０４は、上記実施例において説明した本発明の撮像装置であり、物体側から順に、プリズムＰを有するズームレンズ２０４ａと，ＣＣＤカバーガラスＣＧと，撮像素子チップであるＣＣＤ２０４ｂとにより構成されており、撮影用開口部２０３から入射する操作者自身やその周辺からの光の光路は、パソコン２の内部において、ズームレンズ２０１ａの有するプリズムＰにより、パソコン２の液晶表示モニター２０２に対し垂直な方向から、平行な方向に変更される。
【０２０９】
このように構成されたパソコン２は、画像情報の取得のために用いる光路をその内部において変更する撮像装置２０４を用いているため、光路を変更しない撮像装置を用いた場合と比較して、小型化を容易に実現することができる。また、画像の取得のために用いられる撮像装置２０４が、広画角、かつ、高変倍比を有しており、収差が良好で、明るく、フィルター等が配置できるバックフォーカスの大きなズームレンズ２０４ａを備えているため、高性能・低コスト化も容易に実現することができる。
【０２１０】
また、撮像素子チップであるＣＣＤ２０４ｂ上にはカバーガラスＣＧが付加的に貼り付けられて撮像ユニットとして一体に形成され、ズームレンズ２０４ａを保持する鏡枠２０５の後端にワンタッチで嵌め込むことにより取り付けることができるようになっている。そのため、ズームレンズ２０４ａとＣＣＤ２０４ｂとの中心合わせや面間隔の調整は不要であり、容易に組み立てられるようになっている。また、鏡枠２０５の先端（不図示）には、ズームレンズ２０４ａを保護するためのカバー部材２０６が配置されている。なお、鏡枠２０５に備えられているズームレンズ２０４ａの駆動機構等は図示を省略している。
【０２１１】
なお、ＣＣＤ２０４ｂで受像された物体像は、端子２０７を介して、パソコン２の処理手段に入力され、電子画像として液晶表示モニター２０２に表示される。また、その画像は、処理手段から、インターネットや電話回線を介して、遠隔地から通信相手のパソコンに表示させることも可能である。
【０２１２】
また、本例においては、撮像装置２０４は、液晶表示モニター２０２の側方に配置されているが、その場所に限らず、液晶表示モニター２０２の側方以外の位置や、キーボード２０１の周囲等どこに配置してもかまわない。
【０２１３】
また、本例においては、液晶表示モニター２０２は、不図示のバックライトにより背面から照明する透過型液晶表示素子を用いたものであるが、前面からの光を反射して表示する反射型液晶表示素子を用いたものでも良い。また、液晶表示モニター２０２に代えて、ＣＲＴディスプレイ等を用いた表示装置にしても構わない。
【０２１４】
次に、本発明の撮像装置を組み込んだ情報処理装置である携帯電話の一例を示す。図１８（ａ）は、本発明の撮像装置を組み込んだ携帯電話の正面図であり、図１８（ｂ）は、同側面図である。図１８（ｃ）は、携帯電話に内蔵されている本発明の撮像装置とその周辺の断面図である。
【０２１５】
図２２（ａ）乃至（ｃ）に示すように、携帯電話３は、操作者の声を情報として入力するマイク部３０１，通話相手の声を出力するスピーカ部３０２，操作者が情報を入力する入力キー３０３，操作者自身や通話相手等の撮影像と電話番号等の情報を表示する液晶表示モニター３０４，通信電波の送信と受信を行うアンテナ３０５を備えている。なお、スピーカ部３０２の側方には、撮影用開口部３０６が形成されている。また、内部には操作者自身やその周辺の像を撮影するための撮像装置３０７，不図示の情報処理手段や記録手段を備えている。なお、液晶表示モニター３０４は液晶表示素子を用いたものである。また、図中、各構成の配置位置は、このような配置位置に限られるものではなく、適宜変更してもかまわない。
【０２１６】
携帯電話３に内蔵されている撮像装置３０７は、上記実施例において説明した本発明の撮像装置であり、物体側から順に、プリズムＰを有するズームレンズ３０７ａと，ＣＣＤカバーガラスＣＧと，撮像素子チップであるＣＣＤ３０７ｂとにより構成されており、撮影用開口部３０６から入射する操作者自身やその周辺からの光の光路上に配置されている。そのため、撮影用開口部３０６から入射する操作者自身やその周辺からの光の光路は、携帯電話３の内部において、ズームレンズ３０７ａの有するプリズムＰにより、携帯電話の液晶表示モニター３０４に対し垂直な方向から、平行な方向に変更される。
【０２１７】
このように構成された携帯電話３は、画像情報の取得のために用いる光路をその内部において変更する撮像装置３０７を用いているため、光路を変更しない撮像装置を用いた場合と比較して、小型化を容易に実現することができる。また、画像の取得のために用いられる撮像装置３０７が、広画角、かつ、高変倍比を有しており、収差が良好で、明るく、フィルター等が配置できるバックフォーカスの大きなズームレンズ３０７ａを備えているため、高性能・低コスト化も容易に実現することができる。
【０２１８】
また、撮像素子チップであるＣＣＤ３０７ｂ上にはカバーガラスＣＧが付加的に貼り付けられて撮像ユニットとして一体に形成され、ズームレンズ３０７ａを保持する鏡枠３０８の後端にワンタッチで嵌め込むことにより取り付けることができるようになっている。そのため、ズームレンズ３０７ａとＣＣＤ３０７ｂとの中心合わせや面間隔の調整は不要であり、容易に組み立てられるようになっている。また、鏡枠３０８の先端（不図示）には、ズームレンズ３０７ａを保護するためのカバー部材３０９が配置されている。なお、鏡枠３０８に備えられているズームレンズ３０７ａの駆動機構等は図示を省略している。
【０２１９】
なお、ＣＣＤ３０７ｂで受像された物体像は、端子３１０を介して、携帯電話３の処理手段に入力され、電子画像として液晶表示モニター３０４に表示される。なお、処理手段は、通信相手に画像を送信する場合、その画像情報を送信可能な信号へと変換する信号処理機能を備えている。
【図面の簡単な説明】
【０２２０】
【図１】本発明の実施例１に係るズームレンズの無限遠物点合焦時の光学構成を示す光軸に沿う断面図であり、（ａ）は広角端、（ｂ）は中間、（ｃ）は望遠端における状態をそれぞれ示している。
【図２】図１に示したズームレンズの無限遠物点合焦時における球面収差，非点収差，歪曲収差，倍率色収差を示す図であり、（ａ）は広角端、（ｂ）は中間、（ｃ）は望遠端における状態をそれぞれ示している。
【図３】本発明の実施例２に係るズームレンズの無限遠物点合焦時の光学構成を示す光軸に沿う断面図であり、（ａ）は広角端、（ｂ）は中間、（ｃ）は望遠端における状態をそれぞれ示している。
【図４】図４に示したズームレンズの無限遠物点合焦時における球面収差，非点収差，歪曲収差，倍率色収差を示す図であり、（ａ）は広角端、（ｂ）は中間、（ｃ）は望遠端における状態をそれぞれ示している。
【図５】本発明の実施例３に係るズームレンズの無限遠物点合焦時の光学構成を示す光軸に沿う断面図であり、（ａ）は広角端、（ｂ）は中間、（ｃ）は望遠端における状態をそれぞれ示している。
【図６】図５に示したズームレンズの無限遠物点合焦時における球面収差，非点収差，歪曲収差，倍率色収差を示す図であり、（ａ）は広角端、（ｂ）は中間、（ｃ）は望遠端における状態をそれぞれ示している。
【図７】本発明の実施例４に係るズームレンズの無限遠物点合焦時の光学構成を示す光軸に沿う断面図であり、（ａ）は広角端、（ｂ）は中間、（ｃ）は望遠端における状態をそれぞれ示している。
【図８】図７に示したズームレンズの無限遠物点合焦時における球面収差，非点収差，歪曲収差，倍率色収差を示す図であり、（ａ）は広角端、（ｂ）は中間、（ｃ）は望遠端における状態をそれぞれ示している。
【図９】本発明の実施例４に係るズームレンズの無限遠物点合焦時の光学構成を示す光軸に沿う断面図であり、（ａ）は広角端、（ｂ）は中間、（ｃ）は望遠端における状態をそれぞれ示している。
【図１０】図９に示したズームレンズの無限遠物点合焦時における球面収差，非点収差，歪曲収差，倍率色収差を示す図であり、（ａ）は広角端、（ｂ）は中間、（ｃ）は望遠端における状態をそれぞれ示している。
【図１１】本発明の撮像装置を組み込んだデジタルカメラの一例の外観を示す前方斜視図である。
【図１２】図１５に示したデジタルカメラの後方斜視図である。
【図１３】図１５に示したデジタルカメラの構成を示す断面図である。
【図１４】図１５に示したデジタルカメラの内部回路の主要部の構成ブロック図である。
【図１５】本発明の撮像装置を組み込んだパソコンの一例のカバーを開いた状態における前方斜視図である。
【図１６】図１９に示したパソコンに内蔵されている本発明のズームレンズを用いた撮像装置とその周辺の断面図である。
【図１７】図１９に示したパソコンの側面図である。
【図１８】本発明のズームレンズを用いた撮像装置を組み込んだ携帯電話の一例を示す図であり、（ａ）は携帯電話の正面図、（ｂ）は携帯電話の側面図、（ｃ）は内蔵されている本発明の撮像装置とその周辺の断面図である。
【符号の説明】
【０２２１】
Ｇ1                           第１レンズ群
Ｇ2                           第２レンズ群
Ｇ3                           第３レンズ群
Ｇ4                           第４レンズ群
Ｇ5                           第５レンズ群
Ｌ11，Ｌ12，Ｌ13，Ｌ21，Ｌ22，Ｌ23，Ｌ24，Ｌ3，Ｌ41，Ｌ42，Ｌ51，Ｌ52，Ｌ53，Ｌ54        レンズ
Ｌｃ                          光軸
Ｐ                            プリズム
Ｓ                            明るさ絞り
ＣＧ                          カバーガラス
ＩＭ                          撮像面
Ｅ                            観察者の眼球
１                            デジタルカメラ
１０１，２０３，３０６        撮影用開口部
１０２                        ファインダー用開口部
１０３                        フラッシュ発光部
１０４                        シャッターボタン
１０５，２０２，３０４        液晶表示モニター
１０６                        情報入力部
１０７，２０４，３０７        撮像装置
１０７ａ，２０４ａ，３０７ａ  ズームレンズ
１０７ｂ，２０４ｂ，３０７ｂ  ＣＣＤ
１０８                        処理手段
１０８ａ                      制御部
１０８ｂ                      ＣＤＳ／ＡＤＣ部
１０８ｃ                      一時記憶メモリ部
１０８ｄ                      設定情報記憶メモリ部
１０８ｅ                      画像処理部
１０８ｆ                      表示処理部
１０８ｇ                      記憶処理部
１０９                        記録手段
１１０                        ファインダー光学系
１１０ａ                      ファインダー用対物光学系
１１０ｂ                      正立プリズム
１１０ｂ1                     視野枠
１１０ｃ                      接眼光学系
１１１                        開口部
１１２，２０６，３０９        カバー部材
１１３                        撮像駆動回路
１１４                        パス
２                            パソコン
２０１                        キーボード
２０５，３０８                鏡枠
２０７，３１０                端子
３                            携帯電話
３０１                        マイク部
３０２                        スピーカ部
３０３                        入力キー
３０５                        アンテナ
【図１】
0005289795.tif 000002
【図２】
0005289795.tif 000003
【図３】
0005289795.tif 000004
【図４】
0005289795.tif 000005
【図５】
0005289795.tif 000006
【図６】
0005289795.tif 000007
【図７】
0005289795.tif 000008
【図８】
0005289795.tif 000009
【図９】
0005289795.tif 000010
【図１０】
0005289795.tif 000011
【図１１】
0005289795.tif 000012
【図１２】
0005289795.tif 000013
【図１３】
0005289795.tif 000014
【図１４】
0005289795.tif 000015
【図１５】
0005289795.tif 000016
【図１６】
0005289795.tif 000017
【図１７】
0005289795.tif 000018
【図１８】
0005289795.tif 000019